(57)【要約】【課題】電源が入っていない状態で記録媒体が挿入された場合に、記録媒体を容易に排出するディスク搬送装置を提供する。【解決手段】ディスク装置１００は、光ディスク１を出し入れ可能な挿排口１４を有する筐体１０内部に設けられるとともに、挿排口１４近傍に回動自在に軸支されて光ディスク１を搬送方向に案内するサブローディングアーム５３と、光ディスク１に当接して搬出方向に付勢するガイドアーム５６２およびイジェクトアーム６１，６２と、サブローディングアーム５３の先端側に、サブローディングアーム５３の長手方向に沿って進退自在に設けられるとともに、光ディスク１を案内するスライドガイド５３３と、を具備した。【選択図】図１
2008243326.tif 000002
【特許請求の範囲】
【請求項１】
ディスク状の記録媒体を出し入れ可能な挿排口を有する筐体内部に設けられるとともに、前記挿排口近傍に回動自在に軸支されて前記記録媒体を搬送方向に案内する搬送アームと、
前記記録媒体に当接して搬出方向に付勢する搬出アームと、
前記搬送アームの前記軸支される基端側と反対側となる先端側に、前記搬送アームの長手方向に沿って進退自在に設けられるとともに、前記記録媒体を案内するスライドガイドと、
を具備したことを特徴としたディスク搬送装置。
【請求項２】
請求項１に記載のディスク搬送装置であって、
前記スライドガイドは、前記記録媒体の周縁に当接して案内可能なゴム部材を備えた
ことを特徴としたディスク搬送装置。
【請求項３】
請求項１または請求項２に記載のディスク搬送装置であって、
前記搬送アームは、前記スライドガイドを進退可能に保持する保持部を備え、
前記スライドガイドは、前記保持部に係合する係合部を備えた
ことを特徴としたディスク搬送装置。
【請求項４】
請求項３に記載のディスク搬送装置であって、
前記搬送アームの先端側は、互いに対向する一対の対向片およびこれら対向片を連結する連結部を有する断面略コ字状に形成されるとともに、前記一対の対向片のうち少なくともいずれか一方に前記保持部が設けられ、
前記スライドガイドは、前記搬送アームの一対の前記対向片に挟持されるとともに、前記対向片に対応する位置に前記保持部に係合される前記係合部を備えた
ことを特徴としたディスク搬送装置。
【請求項５】
請求項４に記載のディスク搬送装置であって、
前記保持部は、前記スライドガイドの進退方向に略沿って形成される凹溝であり、
前記係合部は、前記対向片に向かって突出し、前記凹溝に係合される突出部であるとともに、前記連結部に対向する面が突出方向に向かうに従って前記連結部から離れる方向に傾斜する略テーパ状に形成された
ことを特徴としたディスク搬送装置。
【請求項６】
請求項１ないし請求項５のいずれかに記載のディスク搬送装置であって、
前記スライドガイドを、前記搬送アームの基端側に付勢する付勢部材を備えた
ことを特徴としたディスク搬送装置。
【請求項７】
請求項１ないし請求項６のいずれかに記載のディスク搬送装置と、
前記ディスク搬送装置により搬送された記録媒体を保持する保持手段と、
前記保持手段に保持された前記記録媒体に記録された情報を読み込む読込処理、および前記記録媒体に情報を書き込む書込処理のうち少なくともいずれか一方の処理を実施する情報処理部と、
前記ディスク搬送装置、前記保持手段、および前記情報処理部を内部に収納するとともに、前記記録媒体を出し入れする前記挿排口を備えた前記筐体と、
を具備したことを特徴としたディスク装置。
【発明の詳細な説明】
【技術分野】
【０００１】
本発明は、ディスク状の記録媒体を搬送するディスク搬送装置、およびディスク装置に関する。
【背景技術】
【０００２】
従来、ディスク状記録媒体を装置内部に格納可能なディスク装置が知られている。（例えば、特許文献１参照）。
【０００３】
この特許文献１に記載のものは、移送ローラによりディスクを搬送し、位置決め機構によりディスクをターンテーブル上方に位置決めするディスク再生装置である。この位置決め機構は、支点ピンで回動可能に枢支されて互いに交差する左右の位置決めレバーと、これらの位置決めレバーに設けられる係合孔に係合する支点ピンを有して、ソレノイドにより回動する切換レバーとにより構成されている。また、このディスク再生装置のディスク挿入口の近傍には、中央センサ、および中央センサの左右に設けられる左右センサ、外側センサが設けられ、これらのセンサによりディスク挿入口から挿入されたディスクの径を判別する。そして、センサにより大径のディスクの挿入が確認されると、切換レバーを回転させて位置決めピンがもっとも開いた位置となるように左右の位置決めレバーを回動させ、小径のディスクの挿入が確認されると、位置決めピンが最も近寄った位置となるように左右の位置決めレバーを回動させる構成が採られている。
【０００４】
【特許文献１】特開平０２−１１８９５５号公報（第３頁ないし第５頁、図１ないし図７参照）
【発明の開示】
【発明が解決しようとする課題】
【０００５】
ところで、上記特許文献１のような従来の構成では、電源が入っていない状態で、ディスクが手動により挿入されると、ディスクが装置本体内部に完全に挿入されてしまい、ディスクを引き抜けないなどの不都合が生じるおそれがある。また、この状態で、誤操作などによりディスクを多重挿入などされると、ディスクが破損したり、ディスク装置がメカロックなどにより動作不能となったりするおそれがあるという問題が一例として挙げられる。
【０００６】
このような問題を解決するために、ディスクを搬出方向に付勢するイジェクトアームを設ける構成も考えられるが、ディスクを確実に排出させるためには、イジェクトアームの付勢力を強くする必要がある。しかしながら、イジェクトアームの付勢力を強くしすぎると、ディスクをディスク装置本体内に搬入させるローディング動作の際に、ディスクの挿入感が悪化したり、イジェクトアームの付勢力によりローディング動作が阻害されたりするという問題がある。
【０００７】
本発明は、電源が入っていない状態で記録媒体が挿入された場合に、記録媒体を容易に排出するディスク搬送装置、およびディスク装置を提供することを１つの目的とする。
【課題を解決するための手段】
【０００８】
請求項１に記載の本発明は、ディスク状の記録媒体を出し入れ可能な挿排口を有する筐体内部に設けられるとともに、前記挿排口近傍に回動自在に軸支されて前記記録媒体を搬送方向に案内する搬送アームと、前記記録媒体に当接して搬出方向に付勢する搬出アームと、前記搬送アームの前記軸支される基端側と反対側となる先端側に、前記搬送アームの長手方向に沿って進退自在に設けられるとともに、前記記録媒体を案内するスライドガイドと、を具備したことを特徴としたディスク搬送装置である。
【０００９】
請求項７に記載の発明は、請求項１ないし請求項６のいずれかに記載のディスク搬送装置と、前記ディスク搬送装置により搬送された記録媒体を保持する保持手段と、前記保持手段に保持された前記記録媒体に記録された情報を読み込む読込処理、および前記記録媒体に情報を書き込む書込処理のうち少なくともいずれか一方の処理を実施する情報処理部と、前記ディスク搬送装置、前記保持手段、および前記情報処理部を内部に収納するとともに、前記記録媒体を出し入れする前記挿排口を備えた前記筐体と、を具備したことを特徴としたディスク装置である。
【発明を実施するための最良の形態】
【００１０】
以下、本発明に係る一実施の形態のディスク装置を図面に基づいて説明する。図１は、本発明に係る一実施の形態のディスク装置の初期状態における内部構成を示す平面図である。図２は、前記実施の形態におけるディスク装置の搬入部および搬出部の構成を示す平面図である。図３は、前記実施の形態におけるディスク装置の駆動部、搬出部およびクランプ部の構成を示す平面図である。図４は、前記実施の形態における化粧板の正面図である。図５は、前記実施の形態における駆動部の近傍を示す平面図である。図６は、前記実施の形態における駆動部を構成する第一伝達ギアの構成を示す斜視図である。図７は、前記実施の形態におけるサブローディングアームを天面側から見た平面図である。図８は、サブローディングアームを底面側から見た平面図である。図９は、サブローディングアームの先端側に設けられるスライドガイドの分解斜視図である。図１０は、サブローディングアームの先端側に設けられるスライドガイドを底面側から見た状態における分解斜視図である。図１１は、前記実施の形態におけるディスク装置のリンクプレートの一部を示す平面図である。図１２は、前記実施の形態におけるディスク装置のクランプ部を構成する第一シフトカムの背面側の平面図である。図１３は、前記実施の形態における前記第一シフトカムを左壁側からみた側面図である。図１４は、前記実施の形態におけるエマージェンシー機構のエマージェンシーレバー近傍の側面図である。
【００１１】
〔ディスク装置の構成〕
図１において、１００は、本発明の一実施の形態に係るディスク装置であり、このディスク装置１００は、ディスク状の記録媒体としての光ディスク１の少なくとも一面に設けられた図示しない記録面に記録された情報を読み出す読取処理や記録面へ各種情報を記録する記録処理を実施する。このディスク装置１００は、例えばノート型パーソナルコンピュータなど、比較的厚み寸法に制限がある電気機器に装着されるいわゆる薄型スロットインタイプディスク装置である。なお、本実施の形態では、ノート型パーソナルコンピュータに装着される薄型のディスク装置１００を例示するが、これに限らず、例えばゲーム機や、映像データの録画再生処理を実施する、いわゆるビデオ装置などに装着されてもよい。また、読取処理および記録処理のうちいずれか一方のみを実施する構成としても対象とすることができる。
【００１２】
また、このディスク装置１００は、光ディスク１として、直径１２ｃｍの大径ディスク１Ａと、直径８ｃｍの小径ディスク１Ｂとを収納することができる。なお、ディスク状の記録媒体としては、光ディスク１に限らず、磁気ディスク、光磁気ディスクなどのいずれのディスク状記録媒体を対象とすることができる。
【００１３】
そして、ディスク装置１００は、例えば金属製で内部空間を有する略箱形状のケース体を構成するケース体を構成する筐体１０を備えて構成されている。なお、この筐体１０において、図１中の下側の面を正面１０Ａ、図１中の筐体１０の左側壁を左壁１０Ｂ、図１中の筐体１０の右側壁を右壁１０Ｃ、図１中の上側の面を背面１０Ｄ、図１中の紙面手前側を天面側、図１中の紙面奥側を底面側と適宜称する。
【００１４】
筐体１０は、筐体本体部１１と、図中筐体本体部１１の右側に設けられるウィング部１２とを備えて構成されている。これらの筐体本体部１１およびウィング部１２は、天面が同一平面上に形成され、底面が異なる高さ寸法に形成されている。すなわち、ウィング部１２の底面は、筐体本体部１１の底面よりも天面からの距離寸法が小さく形成されている。そして、筐体本体部１１の右壁１０Ｃ側には、筐体本体部１１の底面から立ち上がり、筐体本体部１１の底面およびウィング部１２の底面を連結する段差壁部１３が形成されている。
【００１５】
筐体本体部１１の背面１０Ｄ側には、ベースプレート１１１が固定されている。このベースプレート１１１は、例えばアルミなどの金属により、左右方向（左壁１０Ｂから右壁１０Ｃに向かう方向）に長手となる略板状に形成されている。このベースプレート１１１は、筐体本体部１１の底面に対向して、ウィング部１２の底面と略同一高さ平面上に配置されている。
このベースプレート１１１の左右方向の両端側には、それぞれ前後方向（正面１０Ａから背面１０Ｄに向かう方向）に長手となるリンク案内孔１１２，１１３が形成されている。また、ベースプレート１１１の左壁１０Ｂの背面１０Ｄ側には、プレートリンクピン案内孔１１４が前後方向に長手に設けられている。
さらに、ベースプレート１１１の左壁１０Ｂ側には、右壁１０Ｃ側の背面１０Ｄ側から左壁１０Ｂの正面１０Ａ側に向かって傾斜するガイドアーム案内溝１１５が設けられている。さらには、ベースプレート１１１のガイドアーム案内溝１１５の左壁１０Ｂ側には、略三角形状のガイドアーム案内窓１１６が形成されている。
また、ベースプレート１１１の背面１０Ｄ側の略中央部には、背面１０Ｄ側から正面１０Ａ側に向かって円弧状のイジェクトアーム規制溝１１７が形成されている。
【００１６】
ウィング部１２は、右壁１０Ｃ近傍、かつ正面１０Ａ近傍に、ローディングアーム付勢部１２Ａを備えている。このローディングアーム付勢部１２Ａは、正面１０Ａに対向するアーム当接部１２Ｂを備え、このアーム当接部１２Ｂは、例えばばね部材などの付勢手段により背面１０Ｄ側に付勢されている。
【００１７】
また、筐体１０の正面１０Ａには、光ディスク１を挿入排出するための挿排口１４が、筐体本体部１１からウィング部１２に亘って、図１中左右方向に延びて形成されている。さらに、筐体１０の背面１０Ｄの左壁１０Ｂ側には、コネクタ部１５が形成されている。このコネクタ部１５は、制御回路部に電気的に接続されている。また、コネクタ部１５は、例えばディスク装置１００の外部のパーソナルコンピュータなどの外部機器と接続可能であり、外部機器から各種情報を送受信したり、電力が供給されるプラグが接続されたりする。
さらには、筐体１０の正面１０Ａ側の段差壁部１３の近傍には、挿排口１４を閉塞可能な閉塞レバー１６が設けられている。この閉塞レバー１６は、図１に示すように、平面視で略コ字状に形成され、コ字両端部が筐体１０の底面に設けられた支持部に回動可能に支持されている。そして、この閉塞レバー１６は、例えば後述するディスククランプ部７０の第一アンチャック手段を構成するカム部材としての第一シフトカム７１の移動状態に応じて回動し、光ディスク１が筐体１０の内部に搬送されて、情報処理可能な演奏可能状態となった状態において、挿排口１４を閉塞する状態に回動する。
【００１８】
さらに、筐体１０の正面１０Ａ側には、図４に示すようなケース体を構成する化粧板１０Ａ１が取り付けられている。この化粧板１０Ａ１には、挿排口１４に対向して、左右方向に長手となるディスク挿通孔１０Ａ２が設けられている。また、ディスク挿通孔１０Ａ２の下方の右壁１０Ｃ側には、第一操作孔としての第一エマージェンシーピン挿通孔１０Ａ３および第二操作孔としての第二エマージェンシーピン挿通孔１０Ａ４が設けられている。第一エマージェンシーピン挿通孔１０Ａ３は、後述する搬送手段３０のディスククランプ部７０の第一シフトカム７１の移動経路の延長上に位置して形成されている。また、第二エマージェンシーピン挿通孔１０Ａ４は、後述する搬入部５０のローディングリンク機構５２のローディングリンクアーム５２１の近傍に位置して形成されている。
また、化粧板１０Ａ１のディスク挿通孔１０Ａ２の下方の左壁１０Ｂ側には、イジェクトボタン１０Ａ５および、アクセス確認窓１０Ａ６などが設けられている。イジェクトボタン１０Ａ５は、背面１０Ｄ側に押下可能に設けられ、例えば利用者の操作により押下されることで、後述の制御回路部に光ディスク１を排出する旨の操作信号を出力する。アクセス確認窓１０Ａ６には、制御回路部に接続される図示しないアクセスランプが設けられる。このアクセスランプは、例えば光ディスク１がディスク装置１００の内部に挿入されて光ディスク１に所定の情報処理が実施されている状態で点灯し、アクセス確認窓１０Ａ６からアクセスランプの点灯状態を確認することで、光ディスク１の状態を確認することが可能となる。
【００１９】
そして、筐体１０の内部には、いわゆるトラバースメカと称される保持手段としてのディスク処理部２０と、光ディスク１を搬送するディスク搬送装置としての搬送手段３０と、図示しない制御回路部とが設けられている。
【００２０】
ディスク処理部２０は、筐体１０の挿排口１４近傍、すなわち、正面１０Ａの左壁１０Ｂ側から筐体１０の略中心位置に向かって長手に形成されている。このディスク処理部２０は、例えば金属板にて略板状に形成され、ディスク処理部２０の長手方向と略同一方向に長手となる台座部２１を有している。
【００２１】
この台座部２１は、筐体１０の略中心位置に対応する長手方向の一端側が筐体１０の高さ方向に略沿って揺動可能に、弾性を有するフロートゴム２１Ａを介して筐体１０内に配設されている。また、台座部２１には、長手方向に沿って、長手状の処理開口部２１Ｂが略中央に切欠形成されている。そして、台座部２１の処理開口部２１Ｂの一端側、すなわち筐体１０の略中心位置に、ディスク回転駆動手段２２が配設されている。このディスク回転駆動手段２２は、図示しないスピンドルモータと、このスピンドルモータの出力軸に一体的に設けられたターンテーブル２３とを備えている。スピンドルモータは、制御回路部に電気的に接続され、制御回路部から供給される電力により駆動する。ターンテーブル２３は、筐体１０の内部の略中心部に設けられるとともに光ディスク１を配置した状態で回転駆動する。
【００２２】
また、ターンテーブル２３の中心には、光ディスク１の中心に設けられる円形孔であるセンターホールを係脱可能なディスク係合部２３Ａが天面側に突出して形成されている。さらに、このディスク係合部２３Ａの周縁には、光ディスク１がディスク係合部２３Ａに係合された状態で天面側に突出し、光ディスク１の抜け落ちを防止する図示しない爪部材が設けられている。
【００２３】
また、台座部２１には、情報処理部２４が配設されている。この情報処理部２４は、台座部２１の長手方向に略沿った中心軸を有する一対のガイドシャフト２５間に架橋する状態に支持されており、図示しない移動機構により処理開口部２１Ｂ内でターンテーブル２３に対して近接離隔される。この情報処理部２４は、図示しない光源と、この光源からの光を収束するピックアップレンズ２４Ａと、光ディスク１で反射された出射光を検出する図示しない光センサとを有するピックアップ機構を備えている。
【００２４】
搬送手段３０は、挿排口１４から挿入された光ディスク１を筐体１０の内部に搬入したり、搬入された光ディスク１をディスク処理部２０のターンテーブル２３に載置したり、筐体１０の内部の光ディスク１を外部に搬出したりする。そして、この搬送手段３０は、駆動部４０と、搬入部５０と、搬出部６０と、ディスククランプ部７０と、切替手段としてのエマージェンシー動作部８０と、などを備えている。
【００２５】
駆動部４０は、図１、図３および図５に示すように、搬送手段３０の各部を駆動させる駆動力を供給する。この駆動部４０は、駆動手段としての駆動モータ４１と、駆動伝達手段を構成する駆動伝達ギア群４２と、を備えている。
【００２６】
駆動モータ４１は、筐体１０の正面１０Ａの挿排口１４近傍で、ディスク処理部２０の配設によるデッドスペースとなるディスク処理部２０と段差壁部１３との間に配置されている。
この駆動モータ４１は、制御回路部に電気的に接続され、制御回路部からの制御信号に基づき、回転軸を回転駆動させる。また、回転軸の先端には、駆動伝達手段を構成するウォームギア４１１が設けられており、このウォームギア４１１は、駆動伝達ギア群４２に回転駆動力を伝達する。
【００２７】
駆動伝達ギア群４２は、駆動伝達手段を構成する第一伝達ギア４２１と、駆動伝達手段を構成するシフト駆動分岐ギア４２２と、ローラ駆動分岐ギア４２３と、駆動伝達手段を構成するカムシフトギア４２５と、を備えている。
【００２８】
第一伝達ギア４２１は、図６に示すように、雄型ギア４２１Ａと、雌型ギア４２１Ｂとを備えている。
【００２９】
雄型ギア４２１Ａは、雌型ギア４２１Ｂの底面側に配置されている。この雄型ギア４２１Ａは、周縁に形成される第一大径伝達ギア４２１Ａ１と、第一大径伝達ギア４２１Ａ１と同軸上で、この第一大径伝達ギア４２１Ａ１の底面側に一体的に設けられる第一底面側小径伝達ギア４２１Ａ２と、を備えている。また、雄型ギア４２１Ａの天面側には、周縁近傍にギアピン４２１Ａ３が雌型ギア４２１Ｂに向かって突出している。
雌型ギア４２１Ｂは、雄型ギア４２１Ａの天面側で、この雄型ギア４２１Ａと同軸上に設けられている。そして、この雌型ギア４２１Ｂは、周縁に第一天面側小径伝達ギア４２１Ｂ１（図５および図６参照）を備えている。
また、雌型ギア４２１Ｂは、底面側の外周縁近傍に略円弧状のギアピン係合溝４２１Ｂ２が形成されている。さらに、このギアピン係合溝４２１Ｂ２において、時計回り方向端部（図５中左側の端部）には、第一ギアピン係止部４２１Ｂ３が設けられ、反時計回り方向端部（図５中右側の端部）には、第二ギアピン係止部４２１Ｂ４が設けられている。
そして、ギアピン係合溝４２１Ｂ２には、雄型ギア４２１Ａのギアピン４２１Ａ３が係合されている。すなわち、ギアピン４２１Ａ３は、ギアピン係合溝４２１Ｂ２の第一および第二ギアピン係止部４２１Ｂ３，４２１Ｂ４間で移動可能に設けられている。これにより、雌型ギア４２１Ｂは、ギアピン４２１Ａ３がギアピン係合溝４２１Ｂ２を移動可能な所定角度だけ、雄型ギア４２１Ａに対して相対回転可能に設けられる。
【００３０】
また、第一伝達ギア４２１の第一大径伝達ギア４２１Ａ１は、ウォームギア４１１に噛合され、駆動モータ４１の回転駆動力を、筐体１０の底面に対して直交する軸を中心とした回転駆動力に変換する。また、第一底面側小径伝達ギア４２１Ａ２は、シフト駆動分岐ギア４２２に噛合され、第一天面側小径伝達ギア４２１Ｂ１は、ローラ駆動分岐ギア４２３に噛合されている。これにより、第一伝達ギア４２１は、駆動モータ４１からの回転駆動力をシフト駆動分岐ギア４２２およびローラ駆動分岐ギア４２３に伝達する。
【００３１】
このような第一伝達ギア４２１では、ギアピン４２１Ａ３が第一ギアピン係止部４２１Ｂ３に当接して係止されている状態では、雄型ギア４２１Ａが時計回り方向に回転すると、雌型ギア４２１Ｂも駆動が伝達されて時計回り方向に回転し、後述のローラ５１３が光ディスク１を搬入する搬入方向に回転される。また、駆動モータ４１が駆動していない状態において、雌型ギア４２１Ｂが時計回り方向に空周り可能となるため、後述のローラ５１３も光ディスク１を搬入する搬入方向に空周り可能となる。
一方、ギアピン４２１Ａ３が第二ギアピン係止部４２１Ｂ４に当接して係止されている状態では、雄型ギア４２１Ａが反時計回り方向に回転すると、雌型ギア４２１Ｂも駆動が伝達されて反時計回り方向に回転し、後述のローラ５１３が光ディスク１を搬出する搬出方向に回転される。また、駆動モータ４１が駆動していない状態において、雌型ギア４２１Ｂが反時計回り方向に空周り可能となるため、後述のローラ５１３も光ディスク１を搬出する搬出方向に空周り可能となる。
【００３２】
また、第一伝達ギア４２１と駆動伝達ギア群４２の天面側に設けられる後述するカバー部材４３との間には、所定間隔の隙間寸法が設けられ、第一伝達ギア４２１は上下方向に移動可能に設けられている。そして、第一伝達ギア４２１とカバー部材４３との隙間には、ギア付勢ばね４２１Ｃ（図１２参照）が設けられ、第一伝達ギア４２１を底面側に付勢している。
【００３３】
第一伝達ギア４２１の第一大径伝達ギア４２１Ａ１は、ウォームギア４１１に噛合され、駆動モータ４１の回転駆動力を、筐体１０の底面に対して直交する軸を中心とした回転駆動力に変換する。また、第一底面側小径伝達ギア４２１Ａ２は、シフト駆動分岐ギア４２２に噛合され、第一天面側小径伝達ギア４２１Ｂ１は、ローラ駆動分岐ギア４２３に噛合されている。これにより、第一伝達ギア４２１は、駆動モータ４１からの回転駆動力をシフト駆動分岐ギア４２２およびローラ駆動分岐ギア４２３に伝達する。
【００３４】
シフト駆動分岐ギア４２２は、径寸法が大きい大径シフト駆動分岐ギア４２２Ａと、大径シフト駆動分岐ギア４２２Ａと同軸上で底面側に一体的に設けられる駆動分岐ピニオン４２２Ｂとを備えている。そして、大径シフト駆動分岐ギア４２２Ａは、第一伝達ギア４２１の第一底面側小径伝達ギア４２１Ａ２に噛合され、駆動分岐ピニオン４２２Ｂは、カムシフトギア４２５に噛合している。
【００３５】
ローラ駆動分岐ギア４２３は、第一天面側小径伝達ギア４２１Ｂ１、および搬入部５０の後述するガイド部材を構成する搬送アームとしてのローディングアーム５１に噛合されている。これにより、第一伝達ギア４２１から伝達された回転駆動力をローディングアーム５１に伝達する。
【００３６】
カムシフトギア４２５は、径寸法が大きい大径シフトギア４２５Ａと、この大径シフトギア４２５Ａと同軸上で天面側に一体に設けられ、径寸法が小さいピニオンギア４２５Ｂと、を備えている。ここで、大径シフトギア４２５Ａは、第一シフトカム７１の底面側、すなわち筐体本体部１１と第一シフトカム７１との間に設けられ、ピニオンギア４２５Ｂは、第一シフトカム７１の端面に形成される後述するラック７１１Ａの進退移動経路に設けられている。この大径シフトギア４２５Ａは、シフト駆動分岐ギア４２２の駆動分岐ピニオン４２２Ｂに噛合されている。一方、ピニオンギア４２５Ｂは、ディスククランプ部７０の後述する第一シフトカム７１に噛合可能に設けられており、光ディスク１が挿入されていない初期状態では、ピニオンギア４２５Ｂと第一シフトカム７１の後述するラック７１１Ａとの間には、所定寸法のクリアランスが設けられている。
【００３７】
そして、駆動部４０の天面側には、カバー部材４３が設けられている。このカバー部材４３は、例えば合成樹脂などにて形成され、駆動モータ４１および駆動伝達ギア群４２の天面側を覆う状態に、筐体本体部１１に固定されている。このカバー部材４３には、左右方向（左壁１０Ｂから右壁１０Ｃに向かう方向）に長手状に形成される段差部４３１が設けられている。この段差部４３１は、後述するローディングアーム５１に当接可能に設けられ、ローディングアーム５１の一部が当接することでローディングアーム５１の移動を規制する。
また、前述したように、カバー部材４３と第一伝達ギア４２１との間には、ギア付勢ばね４２１Ｃが設けられており、第一伝達ギア４２１を底面側に付勢している。
【００３８】
搬入部５０は、図１および図２に示すように、駆動部４０から供給される駆動力により駆動され、挿排口１４から挿入された光ディスク１を筐体１０の内部に搬入する。この搬入部５０は、ローディングアーム５１と、ローディングリンク機構５２と、ガイド部材を構成するアーム部材としてのサブローディングアーム５３と、サブアームリンク機構５４と、リンクプレート５５と、ガイド機構５６と、などを備えている。
【００３９】
ローディングアーム５１は、長手状に形成され、一端部がウィング部１２の挿排口１４近傍に回動可能に取り付けられ、他端部が筐体１０の中心位置に対して進退可能となるように設けられている。このローディングアーム５１は、先端部に光ディスク１を保持可能なローラ５１３を備えており、このローラ５１３の回転駆動により光ディスク１を搬送経路に沿って搬送する。
そして、ローディングアーム５１は、搬送される光ディスク１の径寸法に応じて、光ディスク１を案内可能な位置まで右壁１０Ｃ側に回動される。すなわち、例えば大径ディスク１Ａを搬送する場合、ローディングアーム５１は、右壁１０Ｃの近傍まで回動される。一方、小径ディスク１Ｂを搬送する場合には、ローディングアーム５１は、小径ディスク１Ｂを搬送可能な位置、すなわち、ターンテーブル２３の回転中心から前後方向（正面１０Ａから背面１０Ｄに向かう方向）に伸ばした中心線（センターライン）とローラ５１３までの距離が略４ｃｍとなる位置まで回動される。また、ディスク処理部２０が天面側に移動して、光ディスク１をターンテーブル２３にクランプした演奏可能状態では、ローディングアーム５１は右壁１０Ｃ側に回動され、ローラ５１３が光ディスク１の周縁から離反する。
そして、このローディングアーム５１は、長手状のローディングアーム本体５１１と、このローディングアーム本体５１１に設けられる駆動伝達部を構成するローラ駆動部５１２と、上記したローラ５１３と、を備えている。なお、ウォームギア４１１と、駆動伝達ギア群４２と、ローラ駆動部５１２とにより、本発明の駆動伝達部が構成される。
【００４０】
ローディングアーム本体５１１は、例えば合成樹脂製で、ローディングアーム５１の長手方向に沿って長手に形成される板状部材である。このローディングアーム本体５１１の基端部には、軸支部５１１Ａが設けられている。そして、ローディングアーム本体５１１は、ウィング部１２の底面から天面側に突設される軸により軸支部５１１Ａを中心として回転可能に軸支されることで、先端部が筐体１０の内方側に向かって進退可能となる。
また、このローディングアーム本体５１１は、長手先端側の挿排口１４側の端縁に底面側に突出するストッパ片５１１Ｃを一体的に備えている。このストッパ片５１１Ｃは、上記したカバー部材４３に対向して位置し、ローディングアーム５１が挿排口１４に最も近接する状態（初期状態）において、カバー部材４３の段差部４３１に当接する。すなわち、ローディングアーム５１は、ストッパ片５１１Ｃと段差部４３１とが当接する位置から挿排口１４側への回動が規制される。
このローディングアーム本体５１１の基端側端面には、軸支部５１１Ａを中心とした所定径寸法の円弧状のアームギアとしての第一歯車５１１Ｂが一体的に設けられている。
また、ローディングアーム本体５１１の先端部には、ローラ５１３を取り付ける図示しないローラ取付孔が形成されている。
さらに、ローディングアーム本体５１１の基端側には、底面側に突出するアームピン５１１Ｄが設けられている。このアームピン５１１Ｄは、ローディングアーム５１が右壁１０Ｃ側に所定角度回動した状態で、前記したローディングアーム付勢部１２Ａのアーム当接部１２Ｂに当接する。そして、ローディングアーム５１がさらに右壁１０Ｃ側に回動すると、ローディングアーム５１は、ローディングアーム付勢部１２Ａにより半時計回り方向に付勢される。
【００４１】
ローラ駆動部５１２は、ローディングアーム本体５１１の底面部側に設けられている。このローラ駆動部５１２は、ローディングアーム本体５１１の軸支部５１１Ａを軸支する軸を回転中心とした第一ローラ駆動ギア５１２Ａと、第一ローラ駆動ギア５１２Ａに噛合される第二ローラ駆動ギア５１２Ｂと、第二ローラ駆動ギア５１２Ｂに噛合される第三ローラ駆動ギア５１２Ｃと、第三ローラ駆動ギア５１２Ｃに噛合される第四ローラ駆動ギア５１２Ｄと、を備えている。そして、第一ローラ駆動ギア５１２Ａは、駆動部４０のローラ駆動分岐ギア４２３に噛合され、駆動部４０から駆動力が伝達される。また、第四ローラ駆動ギア５１２Ｄは、ローラ５１３に噛合され、駆動部４０から第一ないし第三ローラ駆動ギア５１２Ａ，５１２Ｂ，５１２Ｃを介して伝達される駆動力をローラ５１３に伝達する。
【００４２】
また、これらの第一ないし第四ローラ駆動ギア５１２Ａ，５１２Ｂ，５１２Ｃ，５１２Ｄは、ローディングアーム本体５１１とウィング部１２との隙間寸法と略同一、若しくは若干小さい厚み寸法に形成されており、ローディングアーム５１の回動時に、第一ないし第四ローラ駆動ギア５１２Ａ，５１２Ｂ，５１２Ｃ，５１２Ｄがウィング部１２に干渉しないように設定されている。
【００４３】
ローラ５１３は、ローディングアーム本体５１１の先端部のローラ取付孔に回転可能に取り付けられている。このローラ５１３は、ローディングアーム本体５１１の底面側に設けられるローラ歯車５１３Ａと、ローディングアーム本体５１１の天面側に設けられるローラ本体５１３Ｂとを備えている。これらのローラ歯車５１３Ａおよびローラ本体５１３Ｂは、ローディングアーム本体５１１のローラ取付孔を貫通する軸により一体的に形成されている。
【００４４】
ローラ歯車５１３Ａは、第四ローラ駆動ギア５１２Ｄに噛合され、第三ローラ駆動ギア５１２Ｃの回転駆動により回転される。
ローラ本体５１３Ｂは、ローディングアーム本体５１１の面に対して略直交する方向を軸とした略円筒状に形成されている。このローラ本体５１３Ｂは、軸方向の中心部の径寸法が天面側および底面側の径寸法よりも径小となる凹状部を有している。また、ローラ本体５１３Ｂの周面は、例えば合成樹脂などの弾性部材により形成されている。そして、ローラ本体５１３Ｂは、凹状部にて光ディスク１の周縁部を保持した状態で、回転駆動されることで光ディスク１を搬送経路に沿って進退させる。
【００４５】
ローディングリンク機構５２は、第二アンチャック手段としてのローディングリンクアーム５２１と、ローディングスライドプレート５２２と、などを備えている。
【００４６】
ローディングリンクアーム５２１は、ウィング部１２の底面に回動可能に設けられている。このローディングリンクアーム５２１は、略扇状に形成され、扇の円弧に沿って、ローディングアーム本体５１１の第一歯車５１１Ｂに係合される係合ギアとしての第二歯車５２１Ａが形成されている。また、ローディングリンクアーム５２１の第二歯車５２１Ａの内方側、すなわち左壁１０Ｂ側には、ウィング部１２の底面に向かって突出するローディングリンクピン５２１Ｂが設けられている。
【００４７】
また、ローディングリンクアーム５２１は、緊急回動片５２１Ｃを備えている。この緊急回動片５２１Ｃは、ローディングアーム５１が所定量回動して、アームピン５１１Ｄがローディングアーム付勢部１２Ａのアーム当接部１２Ｂに当接した状態で、化粧板１０Ａ１の第二エマージェンシーピン挿通孔１０Ａ４に対向する位置で、かつ、ローディングリンクアーム５２１の回動中心の右壁１０Ｃ側の位置に設けられている。この緊急回動片５２１Ｃは、例えば光ディスク１を強制排出する際に、略棒状の第二エマージェンシーピンが第二エマージェンシーピン挿通孔１０Ａ４から挿通されると、この第二エマージェンシーピン９３０（図１９参照）の先端部が当接する。そして、第二エマージェンシーピン９３０
をさらに背面１０Ｄ側に挿通することで、緊急回動片５２１Ｃが背面１０Ｄ側に押し込まれ、ローディングリンクアーム５２１が反時計回り方向に回動し、これに伴ってローディングアーム５１が時計回り方向に回動する。
【００４８】
ローディングスライドプレート５２２は、段差壁部１３に対向して前後方向（筐体１０の正面１０Ａから背面１０Ｄに向かう方向）に長手に形成されている。また、ローディングスライドプレート５２２の正面１０Ａ側には、天面側端縁から右壁１０Ｃ側に突出し、ウィング部１２側の底面に対向する第一ローディングリンク係合部５２２Ａが形成されている。
この第一ローディングリンク係合部５２２Ａには、左右方向に長手となるローディング係合溝５２２Ｂが形成されており、このローディング係合溝５２２Ｂにローディングリンクアーム５２１のローディングリンクピン５２１Ｂが係合されている。そして、ローディングスライドプレート５２２は、ローディングアーム５１の回動によりローディングリンクアーム５２１が回動すると、ローディングリンクピン５２１Ｂが前後方向に進退するため、このローディングリンクピン５２１Ｂの移動に応じて、前後方向にスライド移動する。
【００４９】
また、ローディングスライドプレート５２２の背面１０Ｄ側には、筐体の内方側に突出する第二ローディングリンク係合部５２２Ｃが形成されている。この第二ローディングリンク係合部５２２Ｃには、第二ローディング係合溝５２２Ｄが形成されている。この第二ローディング係合溝５２２Ｄは、左壁１０Ｂ側の背面１０Ｄ側から右壁１０Ｃの正面１０Ａ側に向かうスライド移動区間５２２Ｄ１と、このスライド移動区間５２２Ｄ１の背面１０Ｄ側端部に連続するとともに、左壁１０Ｂ側に向かって延出する空走区間５２２Ｄ２と、を備えている。
【００５０】
また、第二ローディングリンク係合部５２２Ｃには、筐体本体部１１の底面側に突出するローディング案内ピンが設けられ、ベースプレート１１１のリンク案内孔１１２に係合されている。
【００５１】
さらに、ローディングスライドプレート５２２の前後方向の略中心位置には、前後方向に伸びるローディング案内溝５２２Ｅが形成されており、ローディングスライドプレート５２２のスライド移動方向を案内している。
【００５２】
サブローディングアーム５３は、長手状に形成され、基端部が左壁１０Ｂの正面１０Ａ側で、挿排口１４近傍に回動可能に取り付けられている。これにより、サブローディングアーム５３の先端部は、筐体１０の中心位置に向かって進退自在となる。
このサブローディングアーム５３は、図７ないし図１０に示すように、枠部材５３１と、ディスク案内部材５３２と、スライドガイド５３３と、などを備えている。
【００５３】
枠部材５３１は、例えばステンレスなどの金属製部材により形成されている。この枠部材５３１は、長手状の胴部５３１Ａと、胴部５３１Ａの基端側に連続形成される回動軸部５３１Ｂと、胴部５３１Ａの先端側に連続形成されるスライドガイド保持部５３１Ｃと、を備えている。
【００５４】
胴部５３１Ａは、光ディスク１の搬送面に略平行する天面側案内部５３１Ａ１、およびサブローディングアーム５３が左壁１０Ｂ側に回動した状態において天面側案内部５３１Ａ１の左壁１０Ｂに近接する側の端縁から底面側に折り曲げ形成される側壁部５３１Ａ２により、断面略Ｌ字形状に形成されている。
天面側案内部５３１Ａ１は、長手方向の略中央部が側壁部５３１Ａ２から離隔する方向に延出する幅広状に形成され、側壁部５３１Ａ２側端縁を底辺とした略三角形状に形成されている。
側壁部５３１Ａ２は、上記したように、天面側案内部５３１Ａ１に対して略直交する状態に形成されている。この側壁部５３１Ａ２は、略中央部および長手方向の両端側にそれぞれディスク案内部材５３２を支持する案内支持部５３１Ａ３が設けられている。
【００５５】
回動軸部５３１Ｂは、胴部５３１Ａの側壁部５３１Ａ２の基端側に連続して形成されている。具体的には、回動軸部５３１Ｂは、側壁部５３１Ａ２の底面側から、光ディスク１の搬送経路側であるディスク装置１００の内方側に延出して形成されている。この回動軸部５３１Ｂの底面側における左壁１０Ｂ側には、底面側に突出するサブアームガイドピン５３１Ｂ１が形成されている。このサブアームガイドピン５３１Ｂ１は、サブローディングアーム５３が左壁１０Ｂ側に回動すると正面１０Ａ側に移動し、サブローディングアーム５３が右壁１０Ｃ側に回動すると背面１０Ｄ側に移動する。また、回動軸部５３１Ｂのサブアームガイドピン５３１Ｂ１の右壁１０Ｃ側には、底面側に突出する回動軸５３１Ｂ２が設けられている。この回動軸５３１Ｂ２は、筐体１０の底面に設けられる図示しない軸支部に回動自在に軸支されている。
【００５６】
スライドガイド保持部５３１Ｃは、胴部５３１Ａの天面側案内部５３１Ａ１の先端側に連続して形成されている。具体的には、スライドガイド保持部５３１Ｃは、天面側対向片５３１Ｃ１と、底面側対向片５３１Ｃ２と、これら天面側対向片５３１Ｃ１および底面側対向片５３１Ｃ２を連結する連結部５３１Ｃ３とを備え、断面略コ字状に形成されている。天面側対向片５３１Ｃ１は、胴部５３１Ａの天面側案内部５３１Ａ１と同一平面上で、サブローディングアーム５３の長手方向先端側に延出する状態に形成されている。底面側対向片５３１Ｃ２は、天面側対向片５３１Ｃ１の底面側に設けられ、天面側対向片５３１Ｃ１に対向する状態で形成されている。連結部５３１Ｃ３は、天面側対向片５３１Ｃ１および底面側対向片５３１Ｃ２の左壁１０Ｂ側の端縁同士を連結している。
そして、このスライドガイド保持部５３１Ｃは、天面側対向片５３１Ｃ１および底面側対向片５３１Ｃ２により、スライドガイド５３３を進退可能に挟持している。
また、底面側対向片５３１Ｃ２には、図８および図１０に示すように、サブローディングアーム５３の長手方向に沿って長手となる保持部としてのガイド保持溝５３１Ｃ４が形成されている。
【００５７】
ディスク案内部材５３２は、例えば合成樹脂などの部材により形成されている。このディスク案内部材５３２は、枠部材５３１の胴部５３１Ａに亘って長手状に設けられている。
具体的には、サブローディングアーム５３は、胴部５３１Ａの長手方向と略同一方向に長手となる底面側案内部５３２Ａと、この底面側案内部５３２Ａの長手方向に沿う側縁から天面側に立ち上がる摺動壁５３２Ｂと、を備えている。
底面側案内部５３２Ａは、光ディスク１の搬送面を挟んで、胴部５３１Ａの天面側案内部５３１Ａ１と対向する位置に設けられている。また、底面側案内部５３２Ａは、光ディスク１の搬送経路側、すなわちディスク装置１００の内方側に向かうに従って、天面側から底面側に向かって傾斜するテーパ状に形成されている。これにより、挿排口１４から挿入された光ディスク１をテーパ面に沿わせて摺動壁５３２Ｂに案内することが可能となる。さらに、底面側案内部５３２Ａは、天面側案内部５３１Ａ１の幅広状に突出する部位に略対向する位置、すなわち長手方向のスライドガイド５３３に近接する一端側の一部がディスク装置１００の内方側に延出する幅広状に形成されている。
摺動壁５３２Ｂは、上記したように、底面側案内部５３２Ａの長手方向の沿う側縁に略沿って、すなわち光ディスク１の搬送面に対して略直交する状態に立ち上がり形成されている。この摺動壁５３２Ｂは、胴部５３１Ａの側壁部５３１Ａ２に略沿って配設され、側壁部５３１Ａ２の案内支持部５３１Ａ３により位置決めされて固定されている。
また、この摺動壁５３２Ｂは、光ディスク１の搬送経路に対向する面に、図示しないグリップシートが例えば貼付されるなどして設けられている。このグリップシートは、例えば合成樹脂などにより形成され、所定の摩擦力を有している。そして、このグリップシートに光ディスク１の周縁が当接した状態で、ローラ５１３が回転駆動すると、光ディスク１は、ローラ５１３の回転方向に応じた方向にグリップシート上を回転し、略転がるようにして所定搬送方向に搬送される。
さらに、ディスク案内部材５３２のスライドガイド５３３に近接する端部には、スライドガイド５３３に対向して図示しないガイドストッパが設けられている。
【００５８】
スライドガイド５３３は、図９および図１０に示すように、スライド部材５３４と、ゴム部材としての案内ゴム５３５と、を備えている。
スライド部材５３４は、スライド基部５３４Ａを備えている。このスライド基部５３４Ａは、スライドガイド保持部５３１Ｃの天面側対向片５３１Ｃ１および底面側対向片５３１Ｃ２と略平行する略板状に形成されている。このスライド基部５３４Ａは、底面が底面側対向片５３１Ｃ２の天面側に摺動可能に当接している。
【００５９】
また、スライド基部５３４Ａの底面側には、底面側対向片５３１Ｃ２側に突出する係合部としてのスライド係合突起５３４Ｂが形成されている。このスライド係合突起５３４Ｂは、サブローディングアーム５３の長手方向に略沿う方向に長手状に形成されている。また、スライド係合突起５３４Ｂは、スライドガイド保持部５３１Ｃの底面側対向片５３１Ｃ２に形成されるガイド保持溝５３１Ｃ４の幅寸法と略同一幅寸法に形成されている。
さらに、スライド係合突起５３４Ｂは、スライドガイド保持部５３１Ｃの連結部５３１Ｃ３に対向する面５３４Ｂ１が、スライド基部５３４Ａから突出する方向に向かうに従って、連結部５３１Ｃ３から離れる方向に傾斜するテーパ状に形成されている。
上記構成では、スライド部材５３４をスライドガイド保持部５３１Ｃに設置する際に、スライド係合突起５３４Ｂが面５３４Ｂ１のテーパにより、スライド部材５３４を、連結部５３１Ｃ３とは反対側となるコ字開口側から容易に挿入することが可能となる。
【００６０】
さらに、スライド基部５３４Ａの天面側の略中央には、案内ゴム挿通部５３４Ｃが天面側に突設されている。この案内ゴム挿通部５３４Ｃは、サブローディングアーム５３の長手方向に略沿う方向に長手となり、スライド基部５３４Ａに対して略直交する方向に立ち上がる略板状に形成されている。また、この案内ゴム挿通部５３４Ｃの天面側は、略平面状に形成され、天面側対向片５３１Ｃ１の底面側に摺動可能に当接している。この案内ゴム挿通部５３４Ｃの天面側端縁における略中央部には、案内ゴム挿通部５３４Ｃの面方向に略直交する方向に突出し、スライド基部５３４Ａと略対向するゴム押え片５３４Ｃ１が形成されている。
【００６１】
さらには、スライド基部５３４Ａのディスク案内部材５３２側の端部には、スライド基部５３４Ａから天面側に立ち上がり、サブローディングアーム５３の長手方向に略直交する方向に面方向を有する略板状のストッパ当接部５３４Ｄが設けられている。このストッパ当接部５３４Ｄは、案内ゴム挿通部５３４Ｃと略同一高さ寸法に形成されており、天面が天面側対向片５３１Ｃ１の底面側に摺動可能に当接している。そして、このストッパ当接部５３４Ｄは、スライド部材５３４がディスク案内部材５３２側に移動した際に、ディスク案内部材５３２のガイドストッパに当接して、スライド部材５３４の移動を規制する。
【００６２】
そして、スライド基部５３４Ａの長手方向に沿う側縁のうち光ディスク１の搬送経路側には、スライド基部５３４Ａの面内方向に向かうに従って、底面側から天面側に傾斜するテーパ案内面５３４Ａ１が形成されている。このテーパ案内面５３４Ａ１は、光ディスク１の周縁を案内ゴム５３５側に案内する。
【００６３】
案内ゴム５３５は、光ディスク１の搬送面と略平行する面での断面が、略長円形状となる略筒状に形成されている。すなわち、案内ゴム５３５は、光ディスク１の搬送面と略平行する面での断面が一対の対向する直線部と、これらの直線部の端部同士を連結する一対の半円部とを備えた形状に形成されている。この案内ゴム５３５は、スライド基部５３４Ａの案内ゴム挿通部５３４Ｃに挿通されて保持される。また、案内ゴム５３５は、天面側の端面がゴム押え片５３４Ｃ１に保持され、このゴム押え片５３４Ｃ１およびスライド基部５３４Ａの天面により挟持されて位置ずれや抜け落ちが防止される。
この案内ゴム５３５は、光ディスク１の周縁部に当接可能に設けられている。そして、上記したグリップシートと同様に、光ディスク１の周縁が当接した状態で、ローラ５１３が回転駆動すると、光ディスク１は、ローラ５１３の回転方向に応じた方向に案内ゴム５３５上を回転し、略転がるようにして所定搬送方向に搬送される。
【００６４】
上記したようなスライドガイド５３３は、電源が入っていない状態で光ディスク１がディスク装置１００に挿入されると、光ディスク１の挿入に追随してサブローディングアーム５３の先端側から突出する方向に移動する。そして、スライド部材５３４のスライド係合突起５３４Ｂがガイド保持溝５３１Ｃ４の長手一端部に当接するとスライドガイド５３３の移動が規制される。
また、スライドガイド５３３は、光ディスク１がガイドアーム５６２や、イジェクトアーム６１，６２により付勢されて搬出方向に移動すると、サブローディングアーム５３の基端側に移動する。そして、ストッパ当接部５３４Ｄがガイドストッパに当接すると、スライドガイド５３３の移動が規制される。
【００６５】
そして、サブローディングアーム５３は、ローディングアーム５１と同様に、搬送される光ディスク１の径寸法に応じて光ディスク１を案内可能な位置まで左壁１０Ｂ側に回動される。例えば、大径ディスク１Ａを搬送する場合、サブローディングアーム５３は、左壁１０Ｂの近傍まで回動される。一方、小径ディスク１Ｂを搬送する場合、サブローディングアーム５３は、ターンテーブル２３の回転中心から前後に伸ばした中心線（センターライン）とサブローディングアーム５３の先端部までの距離が約４ｃｍとなる位置まで左壁１０Ｂ側に回動される。また、演奏可能状態では、サブローディングアーム５３は、左壁１０Ｂ側近傍まで回動され、光ディスク１の周縁から離反する。
【００６６】
サブアームリンク機構５４は、サブアームスライドプレート５４１を備えている。
【００６７】
このサブアームスライドプレート５４１は、左壁１０Ｂに対向して前後方向に長手に形成されている。また、サブアームスライドプレート５４１の正面１０Ａ側には、底面側端縁からサブローディングアーム５３の回動軸５３１Ｂ２に向かって延出するサブアームリンク係合部５４１Ａが形成されている。このサブアームリンク係合部５４１Ａには、左右方向に長手となるサブアームリンク溝５４１Ｂが形成されており、サブアームガイドピン５３１Ｂ１が係合されている。
また、サブアームスライドプレート５４１の略中央位置には、右壁１０Ｃ側に突出して、ベースプレート１１１の天面側に位置する案内片５４１Ｃが設けられている。この案内片５４１Ｃには、ベースプレート１１１のリンク案内孔１１３に係合する一対のリンクピン５４１Ｄが正面１０Ａ側および背面１０Ｄ側にそれぞれ設けられ、サブアームスライドプレート５４１の前後方向の移動を案内している。これらのリンクピン５４１Ｄには、それぞれ合成樹脂製のリング状の摺動部材が嵌合されている。そして、サブアームスライドプレート５４１が前後方向に移動することにより、サブアームガイドピン５３１Ｂ１が前後方向に移動され、サブローディングアーム５３が回動する。
さらに、背面１０Ｄ側に配置されるリンクピン５４１Ｄと、ベースプレート１１１の背面側に設けられる図示しないばね掛け部とには、ばねが掛け渡されており、サブアームスライドプレート５４１は、背面１０Ｄ側に付勢されている。
【００６８】
また、サブアームスライドプレート５４１の背面１０Ｄ側には、筐体１０の内方側に突出するプレートリンク係合部５４１Ｅが形成されている。このプレートリンク係合部５４１Ｅには、底面側に突出するプレートリンクピン５４１Ｆが形成されている。このプレートリンクピン５４１Ｆは、後述するリンクプレート５５に係合されている。
さらに、サブアームスライドプレート５４１の天面側で、リンクピン５４１Ｄの正面１０Ａ側には、天面側に突出するリバースピン５４１Ｇが形成されている。
【００６９】
リンクプレート５５は、筐体１０の背面１０Ｄ側に設けられ、左右方向に亘って長手状に形成される板状部材である。また、リンクプレート５５は、ローディングアーム５１およびサブローディングアーム５３の動作に応じて、左右方向に移動可能に設けられており、光ディスク１が挿入されていない初期状態では、最も右壁１０Ｃ側に移動した状態で配置される。そして、このリンクプレート５５は、スライドリンクピン５５１と、スライドリンク溝５５２と、イジェクト規制窓５５３と、セレクト片５５４と、スライド案内溝５５５と、カム制御ピン５５６と、を備えている。
【００７０】
スライドリンクピン５５１は、リンクプレート５５の右壁１０Ｃ側端部近傍に、天面側に突出して設けられている。このスライドリンクピン５５１は、ローディングスライドプレート５２２の第二ローディング係合溝５２２Ｄに係合されている。そして、ローディングアーム５１の回動によりローディングスライドプレート５２２が前後方向に移動すると、スライドリンクピン５５１も第二ローディング係合溝５２２Ｄに沿って移動する。これにより、リンクプレート５５は、左右方向に移動する。
【００７１】
スライドリンク溝５５２は、リンクプレート５５の左壁１０Ｂ側端部近傍に形成されている。
このスライドリンク溝５５２は、図９に示すように、左壁１０Ｂ側に形成される非同期係合溝５５２Ａと、非同期係合溝５５２Ａから、正面１０Ａ側かつ右壁１０Ｃ側に傾斜して延出する同期係合溝５５２Ｂと、を備えている。このスライドリンク溝５５２には、サブアームスライドプレート５４１のプレートリンクピン５４１Ｆが係合されている。
非同期係合溝５５２Ａは、背面１０Ｄ側に左右方向に形成される背面側規制部５５２Ａ１と、背面側規制部５５２Ａ１の右壁１０Ｃ側端部から正面１０Ａ側に延びるローディング規制部５５２Ａ２と、ローディング規制部５５２Ａ２に対向して背面側規制部５５２Ａ１の左壁１０Ｂ側端部から正面１０Ａ側に延びる左壁側規制部５５２Ａ３と、背面側規制部５５２Ａ１に対向して左壁側規制部５５２Ａ３の正面１０Ａ側端部から右壁１０Ｃ側に延びるサブローディング規制部５５２Ａ４と、を備えた略矩形状に形成されている。そして、背面側規制部５５２Ａ１とサブローディング規制部５５２Ａ４との隙間寸法、左壁側規制部５５２Ａ３とローディング規制部５５２Ａ２との隙間寸法は、それぞれプレートリンクピン５４１Ｆのピン径よりも大きい寸法に形成されている。そして、初期状態において、プレートリンクピン５４１Ｆは、非同期係合溝５５２Ａの背面１０Ｄ側で左壁１０Ｂ側、すなわち背面側規制部５５２Ａ１および左壁側規制部５５２Ａ３の交差部位近傍に係合されている。
同期係合溝５５２Ｂは、非同期係合溝５５２Ａのローディング規制部５５２Ａ２とサブローディング規制部５５２Ａ４との交差部から正面１０Ａ側でかつ右壁１０Ｃ側に延びる長手状の溝である。この同期係合溝５５２Ｂは、幅寸法がプレートリンクピン５４１Ｆのピン径と略同一寸法、もしくは僅かに大きい寸法に形成されている。この同期係合溝５５２Ｂは、小径ディスク１Ｂがターンテーブル２３にて保持可能なクランプ可能状態となる位置に搬入された状態においてプレートリンクピン５４１Ｆが係合される。なお、同期係合溝５５２Ｂにプレートリンクピン５４１Ｆが係合されるタイミングとしては、小径ディスク１Ｂがクランプ可能状態に搬送された状態で係合されていればよく、例えばクランプ可能状態となる前にプレートリンクピン５４１Ｆが同期係合溝５５２Ｂに係合される構成などとしてもよい。
【００７２】
そして、このスライドリンク溝５５２は、非同期係合溝５５２Ａにプレートリンクピン５４１Ｆが係合されている状態で、ローディングアーム５１およびサブローディングアーム５３が同期せず、それぞれ独立に移動可能となる。
すなわち、前記したように、初期状態において、プレートリンクピン５４１Ｆは、スライドリンク溝５５２の非同期係合溝５５２Ａの背面側規制部５５２Ａ１およびの左壁側規制部５５２Ａ３の交差部位近傍に係合されている。
この状態から例えば小径ディスク１Ｂが左壁１０Ｂ側から挿入された場合、小径ディスク１Ｂが当接したサブローディングアーム５３は、反時計回り方向に回動する。この時、サブローディングアーム５３の回動によりプレートリンクピン５４１Ｆが正面１０Ａ側に移動するが、リンクプレート５５が変位しないため、ローディングアーム５１は同期しない。小径ディスク１Ｂをさらに挿入すると、プレートリンクピン５４１Ｆがサブローディング規制部５５２Ａ４に当接し、サブローディングアーム５３の回動が規制される。なお、この時、サブローディングアーム５３は、挿排口１４の略中央から小径ディスク１Ｂを挿入した状態において、ローディングアーム５１のローラ５１３と摺動壁５３２Ｂとの間で小径ディスク１Ｂの最大径部を保持可能な位置で回動が規制されている。つまり、サブローディングアーム５３は、ディスク装置１００のセンターラインからサブローディングアーム５３の摺動壁５３２Ｂの先端部までの距離寸法が小径ディスク１Ｂの半径寸法と略同一寸法となる位置で回動が規制される。
これにより、小径ディスク１Ｂは左壁１０Ｂ側から右壁１０Ｃ側に案内され、これに伴ってローディングアーム５１が小径ディスク１Ｂに押されて時計回り方向に回動される。そして、小径ディスク１Ｂが略中央部に案内されると、ローディングアーム５１の回動によりリンクプレート５５も左壁１０Ｂ側に移動し、プレートリンクピン５４１Ｆが同期係合溝５５２Ｂに係合される。したがって、ローディングアーム５１とサブローディングアーム５３とが同期して動作可能となる。
【００７３】
一方、小径ディスク１Ｂが右壁１０Ｃ側から挿入された場合、ローディングアーム５１は、時計回り方向に回動する。この時、ローディングアーム５１の回動によりリンクプレート５５が左壁１０Ｂ側に移動するが、非同期係合溝５５２Ａの左壁側規制部５５２Ａ３およびローディング規制部５５２Ａ２がプレートリンクピン５４１Ｆのピン径よりも十分大きく形成されているため、プレートリンクピン５４１Ｆが押し出されず、サブローディングアーム５３が同期せず回動しない。小径ディスク１Ｂをさらに挿入すると、リンクプレート５５が移動して、プレートリンクピン５４１Ｆがローディング規制部５５２Ａ２に当接し、ローディングアーム５１の回動が規制される。なお、この時、ローディングアーム５１は、挿排口１４の略中央から小径ディスク１Ｂを挿入した状態において、ローラ５１３とサブローディングアーム５３の摺動壁５３２Ｂとの間で小径ディスク１Ｂの最大径部を保持可能な位置で回動が規制されている。
これにより、小径ディスク１Ｂは右壁１０Ｃ側から左壁１０Ｂ側に案内され、これに伴ってサブローディングアーム５３が小径ディスク１Ｂに押されて反時計回り方向に回動される。そして、小径ディスク１Ｂが略中央部に案内されると、サブローディングアーム５３の回動によりプレートリンクピン５４１Ｆが正面１０Ａ側に移動し、同期係合溝５５２Ｂに係合される。したがって、ローディングアーム５１とサブローディングアーム５３とが同期して動作可能となる。
また、小径ディスク１Ｂを挿排口１４の略中央部から挿入した場合、小径ディスク１Ｂの周縁に押し出されてローディングアーム５１およびサブローディングアーム５３が回動する。したがって、プレートリンクピン５４１Ｆが正面１０Ａ側に移動するとともに、リンクプレート５５も左壁１０Ｂ側に移動する。したがって、プレートリンクピン５４１Ｆは、相対的にみて背面側規制部５５２Ａ１および左壁側規制部５５２Ａ３の交差部位から、ローディング規制部５５２Ａ２およびサブローディング規制部５５２Ａ４の交差部位に向かって略直線状に移動し、ローディング規制部５５２Ａ２やサブローディング規制部５５２Ａ４により規制されることなく、同期係合溝５５２Ｂに係合される。
【００７４】
イジェクト規制窓５５３は、リンクプレート５５の略中心に形成される窓である。このイジェクト規制窓５５３は、搬出部６０の後述する搬出アームとしての第一イジェクトアーム６１の移動を規制する。このイジェクト規制窓５５３は、小径規制係合部５５３Ａと、大径規制係合部５５３Ｂと、小径離隔係合部５５３Ｃと、大径離隔係合部５５３Ｄとを備えている。また、イジェクト規制窓５５３には、第一イジェクトアーム６１に設けられるイジェクトピン６１１が挿通されている。そして、これらの小径規制係合部５５３Ａ、大径規制係合部５５３Ｂ、小径離隔係合部５５３Ｃ、および大径離隔係合部５５３Ｄは、イジェクトピン６１１が移動してそれぞれに係脱可能となるように互いに連通されており、リンクプレート５５がローディングアーム５１およびサブローディングアーム５３と連動して左右方向にスライド移動することで、イジェクトピン６１１との係脱状態が変化する。
【００７５】
小径規制係合部５５３Ａは、イジェクト規制窓５５３の正面１０Ａ側で、かつ左壁１０Ｂ側に設けられている。この小径規制係合部５５３Ａに、イジェクトピン６１１が係合された時に、小径ディスク１Ｂがターンテーブル２３にて保持可能なクランプ可能状態となる。
【００７６】
大径規制係合部５５３Ｂは、イジェクト規制窓５５３の背面１０Ｄ側で、かつ左壁１０Ｂ側に設けられている。具体的には、大径規制係合部５５３Ｂは、小径規制係合部５５３Ａの右方から背面１０Ｄ側に伸びる大径対応溝５５３Ｅの先端側に設けられている。そして、この大径規制係合部５５３Ｂに、イジェクトピン６１１が係合された時に、大径ディスク１Ａがターンテーブル２３にて保持可能なクランプ状態となる。
【００７７】
小径離隔係合部５５３Ｃは、小径規制係合部５５３Ａの右壁１０Ｃ側の若干背面１０Ｄ側に形成されている。この小径離隔係合部５５３Ｃに、イジェクトピン６１１が係合された時に、小径ディスク１Ｂがターンテーブル２３にて保持されて情報処理部２４にて情報処置可能な演奏可能状態となる。
【００７８】
大径離隔係合部５５３Ｄは、大径規制係合部５５３Ｂの右壁１０Ｃ側の若干背面１０Ｄ側に形成されている。そして、大径離隔係合部５５３Ｄに、イジェクトピン６１１が係合された時に、大径ディスク１Ａがターンテーブル２３にて保持されて情報処理部２４にて情報処置可能な演奏可能状態となる。
【００７９】
セレクト片５５４は、リンクプレート５５の背面１０Ｄ側で右壁１０Ｃ側に、背面１０Ｄ側に向かって突出形成されている。
【００８０】
スライド案内溝５５５は、リンクプレート５５の略中央部に設けられ、左右方向に長手状に形成されている。このスライド案内溝５５５は、ベースプレート１１１から底面側に突出形成されるリンクプレート案内ピン１１８が設けられ、合成樹脂性のリング状摺動部材を介して係合され、リンクプレート５５の左右方向の移動を案内する。
【００８１】
カム制御ピン５５６は、リンクプレート５５の正面１０Ａ側で右壁１０Ｃ側に、ディスククランプ部７０の第一シフトカム７１に向かって突出形成されている。
【００８２】
また、リンクプレート５５の背面１０Ｄ側の端縁には、筐体１０の底面に向かって折り曲げ形成されたスイッチ片５５７，５５８が形成されている。このスイッチ片５５７，５５８は、リンクプレート５５の左右移動により、筐体１０の底面に配置された制御回路部に設けられる第一スイッチＳＷ１および第二スイッチＳＷ２のオン／オフ状態を切り換える。
【００８３】
ここで、これらの第一スイッチＳＷ１および第二スイッチＳＷ２は、制御回路部の背面１０Ｄ側で、スイッチ片５５７，５５８の左右進退移動の移動経路上に設けられている。そして、第一スイッチＳＷ１は左壁１０Ｂ側でコネクタ部１５の近傍に設けられ、第二スイッチＳＷ２は第一スイッチＳＷ１よりも右壁１０Ｃ側に配設されている。
【００８４】
これらの第一スイッチＳＷ１および第二スイッチＳＷ２は、スイッチ本体と、スイッチ本体から背面１０Ｄ側に突出するとともにスイッチ本体に対して進退自在な可動片を有している。そして、これら第一スイッチＳＷ１および第二スイッチＳＷ２は、可動片が突出した状態ではオフ状態であり、このオフ状態では、制御回路部から供給される基準電圧に基づいて「Ｈ(High)」レベルとして制御回路部にて検出される。一方、リンクプレート５５の移動によりスイッチ片５５７，５５８が可動片に当接すると、可動片がスイッチ本体内部に移動してオン状態となり、このオン状態では、制御回路部から供給される基準電圧に基づいて「Ｌ(Low)」レベルとして制御回路部にて検出される。
【００８５】
これらの第一スイッチＳＷ１および第二スイッチＳＷ２は、光ディスク１が挿入されていない初期状態では、いずれも可動片が背面１０Ｄ側に突出したオフ状態に設定されている。そして、光ディスク１が挿入されてローディングアーム５１およびサブローディングアーム５３の回動とともにリンクプレート５５が左壁１０Ｂ側に移動すると、まず直ちに第二スイッチＳＷ２がオン状態（Ｌレベル）となる。その後、さらにリンクプレート５５が左側に移動すると、第一スイッチＳＷ１がオン状態（Ｌレベル）になる。
【００８６】
ガイド機構５６は、ベースプレート１１１の天面側に配設され、挿排口１４から挿入された光ディスク１の搬入をガイドする。このガイド機構５６は、ガイドプレート５６１と、搬出アームとしてのガイドアーム５６２とを備えている。
【００８７】
ガイドプレート５６１は、略三角形板状に形成されている。具体的には、ガイドプレートは、略左右方向に伸びる底辺と、この底辺より正面１０Ａ側に配置されて底辺に対向する頂点とを備えた略三角形状に形成されている。
このガイドプレート５６１の底辺の右壁１０Ｃ側に位置する頂点近傍には、底面側に突出するガイド案内ピン５６１Ａが突出形成され、ベースプレート１１１のガイドアーム案内溝１１５に係合されている。
また、ガイドプレート５６１の底辺の左壁１０Ｂ側に位置する頂点近傍には、底面側に突出するばね掛けピン５６１Ｂが突出形成され、ベースプレート１１１のガイドアーム案内窓１１６に挿通されている。
さらに、ガイドプレート５６１の底辺に対向する正面１０Ａ側の頂点には、孔部が設けられ、ガイドアーム５６２が回動自在に連結されている。
【００８８】
ガイドアーム５６２は、長手板状に形成されている。このガイドアーム５６２の長手方向の一端部には、ガイド回動軸５６２Ａがベースプレート１１１側に突出形成されている。このガイド回動軸５６２Ａは、ベースプレート１１１の左壁１０Ｂ側に回動自在に軸支されている。
また、ガイドアーム５６２の一端側で、ガイド回動軸５６２Ａよりも長手他端側となる位置には、ガイドプレート５６１に向かって突出するガイド連結軸５６２Ｂが設けられている。このガイド連結軸５６２Ｂは、ガイドプレート５６１の正面１０Ａ側の頂点に設けられる孔部に回動自在に挿通されている。
さらに、ガイドアーム５６２の他端側には、天面側に突出するディスクガイド部５６２Ｃが設けられている。このディスクガイド部５６２Ｃは、略円錐状のディスク受部５６２Ｄと、ディスク受部５６２Ｄの底面側に設けられるフランジ部５６２Ｅとを備えている。このディスクガイド部５６２Ｃは、フランジ部５６２Ｅにて光ディスク１の周縁をディスク受部５６２Ｄに案内し、ディスク受部５６２Ｄに光ディスク１の周縁が当接された状態で、光ディスク１の姿勢を保持して搬送を案内する。
【００８９】
さらに、ガイドアーム５６２のガイド回動軸５６２Ａの近傍には、戻り当接部５６２Ｇが設けられている。この戻り当接部５６２Ｇは、ガイドアーム５６２が最も左壁１０Ｂ側に回動した状態で、リバースピン５４１Ｇの背面１０Ｄ側に僅かに隙間が開くように配置されている。そして、戻り当接部５６２Ｇは、サブアームスライドプレート５４１が、背面１０Ｄ側に移動すると、リバースピン５４１Ｇの移動に追従して背面１０Ｄ側に移動し、ガイドアーム５６２を時計回り方向に回動させる。
【００９０】
そして、ガイドプレート５６１のばね掛けピン５６１Ｂと、ベースプレート１１１の左壁１０Ｂ側に設けられるばね掛け部１１９との間には、付勢手段としてのガイドばね５６３が掛け渡されている。つまり、ガイドばね５６３は、ベースプレート１１１およびガイドプレート５６１を架橋し、ガイドプレート５６１を挿排口１４に近接する方向に付勢する状態で設けられている。
【００９１】
このようなガイド機構５６では、ばね掛けピン５６１Ｂ、ガイド回動軸５６２Ａ、およびガイド連結軸５６２Ｂの位置に応じて、ガイドアーム５６２の付勢方向が変化する。
【００９２】
具体的には、ガイド連結軸５６２Ｂには、ガイドばね５６３によるガイドプレート５６１の付勢により、ばね掛けピン５６１Ｂからガイド連結軸５６２Ｂに向かう方向（ばね対応付勢方向）への力が常に発生する。また、ガイド連結軸５６２Ｂが、ばね掛けピン５６１Ｂおよびガイド回動軸５６２Ａを結ぶ線分（基準線分）より右壁１０Ｃ側に位置する状態（右側位置状態）では、ガイドアーム５６２の回動によるガイド連結軸５６２Ｂの移動方向（回動時移動方向）と、ばね対応付勢方向とのなす角度は、鋭角となる。このため、右側位置状態では、ガイド連結軸５６２Ｂで発生したばね対応付勢方向へ力の少なくとも一部が、回動時移動方向への力に変換され、ガイドアーム５６２は、時計回り方向への付勢力を受ける。
さらに、ガイドアーム５６２の反時計回りへの回動により、ガイド連結軸５６２Ｂが移動して右側位置状態から基準線分上に位置する状態（線分上位置状態）に近づくにしたがって、ガイドプレート５６１が背面１０Ｄに移動して、ガイドばね５６３のばね力が大きくなり、ばね対応付勢方向への力も大きくなる。しかし、ばね対応付勢方向と、回動時移動方向とのなす角度は、鋭角から直角に近づく。このため、右側位置状態から線分上位置状態に近づくにしたがって、ガイド連結軸５６２Ｂで発生したばね対応付勢方向へ力が回動時移動方向への力に変換される割合が減少して、ガイドアーム５６２が受ける時計回り方向への付勢力は小さくなる。つまり、ガイドアーム５６２が受ける光ディスク１を排出する方向への付勢力は、光ディスク１が挿入されるにしたがって小さくなる。
【００９３】
また、線分上位置状態では、ガイドプレート５６１が背面１０Ｄに最も近づく位置まで移動して、ガイドばね５６３のばね力が最大となり、ばね対応付勢方向への力も最大となる。しかし、ばね対応付勢方向と、回動時移動方向とのなす角度は、直角になる。このため、線分上位置状態では、ばね対応付勢方向へ力が回動時移動方向への力に全く変換されずに、ガイドアーム５６２が受ける時計回り方向または反時計回り方向への付勢力は０になる。したがって、ガイドアーム５６２は、回動しない。
【００９４】
さらに、ガイド連結軸５６２Ｂが基準線分より左壁１０Ｂ側に位置する状態（左側位置状態）では、回動時移動方向と、ばね対応付勢方向とのなす角度は、鋭角となる。このため、左側位置状態では、ばね対応付勢方向へ力の少なくとも一部が、回動時移動方向への力に変換され、ガイドアーム５６２は、反時計回り方向への付勢力を受ける。
【００９５】
次に搬出部６０の構成を説明する。搬出部６０は、図１、図２および図３に示すように、搬出アームとしての第一イジェクトアーム６１と、搬出アームとしての第二イジェクトアーム６２と、を備えている。これらの第一および第二イジェクトアーム６１，６２は、筐体１０の背面１０Ｄ側で互いに交差して回動可能に設けられている。すなわち、第一イジェクトアーム６１は、背面１０Ｄの右壁１０Ｃ側から正面１０Ａの左壁１０Ｂ側に向かって長手に形成されており、第二イジェクトアーム６２は、背面１０Ｄの左壁１０Ｂ側から正面１０Ａの右壁１０Ｃ側に向かって長手に形成されている。
また、第一および第二イジェクトアーム６１，６２の回動中心軸６１Ａ，６２Ａは、背面１０Ｄから所定寸法だけ正面１０Ａ側で、かつターンテーブル２３の中心を通過するセンターラインおよび右壁１０Ｃ、センターラインおよび左壁１０Ｂとの間にそれぞれ設けられている。この構成により、回動中心軸６１Ａ，６２Ａを、第一シフトカム７１およびコネクタ部１５に干渉しない位置に取り付けることが可能であり、大径ディスク１Ａの挿入時に第一および第二イジェクトアーム６１，６２の先端部を背面１０Ｄ近傍まで回動させることが可能となる。
【００９６】
そして、第一イジェクトアーム６１は、前述したように、底面側に突出するイジェクトピン６１１を備えている。このイジェクトピン６１１は、第二イジェクトアーム６２の略中心位置に形成されるアームリンク孔６２１、前述したリンクプレート５５のイジェクト規制窓５５３、およびベースプレート１１１に形成されるイジェクトアーム規制溝１１７に係合されている。このイジェクトピン６１１は、イジェクトアーム規制溝１１７に沿って回動し、回動途中において、イジェクト規制窓５５３の小径規制係合部５５３Ａ、大径規制係合部５５３Ｂ、小径離隔係合部５５３Ｃ、大径離隔係合部５５３Ｄに係合されて、移動が規制される。また、イジェクトピン６１１がアームリンク孔６２１に挿通されているため、第二イジェクトアーム６２が第一イジェクトアーム６１に連動して回動する。
【００９７】
また、第一イジェクトアーム６１の左壁１０Ｂ側の先端部には、光ディスク１を当接可能な第一ディスク当接部６１２が形成されている。さらに、第一イジェクトアーム６１の右壁１０Ｃ側の基端部には、第一シフトカム７１に向かって突出するカム押出ピン６１３が設けられている。このカム押出ピン６１３は、第一イジェクトアーム６１が回動すると、回動量に応じて第一シフトカム７１を正面１０Ａ側に押し出して移動させる。
【００９８】
そして、第一イジェクトアーム６１の回動中心軸６１Ａ近傍には、ばね係合突起６１４が形成されている。そして、第一イジェクトアーム６１は、このばね係合突起６１４とベースプレート１１１の背面１０Ｄ側に設けられる図示しないばね掛け部との間にばねが取り付けられ、常に反時計周り方向、すなわち第一ディスク当接部６１２が正面１０Ａ側に回動する方向に付勢されている。
【００９９】
第二イジェクトアーム６２には、前記したように、長手方向の略中心位置に、アームリンク孔６２１が形成され、イジェクトピン６１１が挿通されている。
また、第二イジェクトアーム６２の先端部には、光ディスク１を当接可能な第二ディスク当接部６２２が設けられている。この第二ディスク当接部６２２は、第一ディスク当接部６１２に対して常にセンターラインに対して略対称となる位置に配置される。すなわち、第一および第二イジェクトアーム６１，６２が回動すると、第一ディスク当接部６１２および第二ディスク当接部６２２は、センターラインに対して常に略線対称となるように回動する。これら第一および第二イジェクトアーム６１，６２の第一ディスク当接部６１２および第二ディスク当接部６２２と、ローディングアーム５１のローラ５１３およびサブローディングアーム５３の摺動壁５３２Ｂと、ガイドアーム５６２のディスクガイド部５６２Ｃとにより、光ディスク１（１Ａ，１Ｂ）の周縁が保持され、搬送される。
【０１００】
次に、ディスククランプ部７０の構成を説明する。ディスククランプ部７０は、図１、図３、図１０、および図１１に示すように、第一シフトカム７１と、ディスク処理部２０の背面１０Ｄ側に設けられる第二シフトカム７２とを備えている。
【０１０１】
第一シフトカム７１は、筐体１０の段差壁部１３に沿って、前後方向に長手に形成されている。この第一シフトカム７１は、初期状態において、最も背面１０Ｄ側に移動した状態で配置され、前記したように第一イジェクトアーム６１のカム押出ピン６１３により正面１０Ａ側に押し出される。
具体的には、第一シフトカム７１は、カム本体部７１１と、スライドプレート７１２と、セレクトアーム７１３と、などを備えている。
カム本体部７１１は、第一シフトカム７１の正面１０Ａ側に配置される長手状の部材である。このカム本体部７１１の正面１０Ａ側で、左壁１０Ｂに対向する側面には、ラック７１１Ａが形成されている。このラック７１１Ａは、カムシフトギア４２５のピニオンギア４２５Ｂに係合可能に設けられている。また、上述したように、初期状態において、ラック７１１Ａとピニオンギア４２５Ｂとの間には、所定寸法のクリアランスが設けられている。そして、光ディスク１の搬入により第一シフトカム７１が正面１０Ａ側に移動することでクリアランスが小さくなり、光ディスク１の搬入終端縁が挿排口１４よりも背面１０Ｄ側に搬入された状態で、ラック７１１Ａとピニオンギア４２５Ｂとが係合する。
【０１０２】
また、カム本体部７１１の左壁１０Ｂに対向する面のラック７１１Ａの背面１０Ｄ側には、図１０に示すように、クランプ昇降溝７１４が形成されている。そして、このクランプ昇降溝７１４には、台座部２１から右壁１０Ｃ側に突設されたクランプ昇降ピン２１Ｃが係合されており、第一シフトカム７１の進退により、クランプ昇降ピン２１Ｃが移動することで台座部２１が昇降する。そして、このクランプ昇降溝７１４は、図１１に示すように、退避部７１４Ａと、待機部７１４Ｂと、クランプ部７１４Ｃと、演奏可能部７１４Ｄとを備えており、これらの溝が連続して形成されている。
退避部７１４Ａは、クランプ昇降溝７１４の正面１０Ａ側で、筐体１０の底面に最も近接した高さ位置に前後方向に延びて形成されている。
待機部７１４Ｂは、退避部７１４Ａの背面１０Ｄ側に、ディスク処理部２０にて光ディスク１の情報処理が可能な高さ位置と略同一の高さに形成されている。この待機部７１４Ｂでは、光ディスク１のセンターホールとターンテーブル２３との位置補正が実施されるとともに、光ディスク１のセンターホールがターンテーブル２３のディスク係合部２３Ａに挿通され、光ディスク１がターンテーブル２３に位置決めされる。
クランプ部７１４Ｃは、天面側に突出する山形状の溝である。このクランプ部７１４Ｃにクランプ昇降ピン２１Ｃが係合されると、台座部２１を天面側に移動させて、ターンテーブル２３を天面に設けられる図示しないクランプ部材に当接若しくは近接させる。このとき、光ディスク１がターンテーブル２３に押し付けられる。これにより、クランプ部材とターンテーブル２３との間に光ディスク１が挟み込まれ、ターンテーブル２３のディスク係合部２３Ａに光ディスク１のセンターホールが係合される。さらに、センターホールに爪部材が係合して、光ディスク１がターンテーブル２３にチャッキングされる。
演奏可能部７１４Ｄは、クランプ部７１４Ｃの背面１０Ｄ側に形成されている。そして、この演奏可能部７１４Ｄにクランプ昇降ピン２１Ｃが係合されると、情報処理部２４にて光ディスク１の情報が処理される演奏可能状態となる。
【０１０３】
また、カム本体部７１１の背面１０Ｄ側の天面に対向する面には、凹溝状のばね設置部７１１Ｃが設けられている。
【０１０４】
さらに、カム本体部７１１の背面１０Ｄ側端部には、左壁１０Ｂ側に突出するスイッチ当接部７１１Ｄが設けられている。
【０１０５】
スライドプレート７１２は、図１０に示すように、カム本体部７１１の背面１０Ｄ側に前後方向に摺動可能に設けられている。そして、スライドプレート７１２の正面１０Ａ側には、凹溝状のばね設置部７１２Ａが設けられ、カム本体部７１１のばね設置部７１１Ｃとの間で付勢ばね７１５が設けられている。これにより、スライドプレート７１２は、背面１０Ｄ側に付勢されている。
【０１０６】
また、スライドプレート７１２の天面側には、カム溝７１６が形成されている。このカム溝７１６は、待機溝７１６Ａと、小径ディスク用カム溝７１６Ｂと、大径ディスク用カム溝７１６Ｃと、を備えている。待機溝７１６Ａは、カム溝７１６の正面１０Ａ側に形成され、左右方向に長手となる溝である。このカム溝７１６には、リンクプレート５５のカム制御ピン５５６が挿通されている。
【０１０７】
小径ディスク用カム溝７１６Ｂは、待機溝７１６Ａに連続形成され、待機溝７１６Ａの右壁１０Ｃ側から背面１０Ｄ側に向かって形成される溝である。この小径ディスク用カム溝７１６Ｂは、小径ディスク用クランプ開始部７１６Ｂ１と、小径ディスク用クランプ昇降部７１６Ｂ２と、小径ディスク用ホールド部７１６Ｂ３と、小径ディスク用チャッキング部７１６Ｂ４と、を備えている。
【０１０８】
小径ディスク用クランプ開始部７１６Ｂ１は、小径ディスク１Ｂがターンテーブル２３にて保持可能な位置に搬入された状態（クランプ可能状態）において、カム制御ピン５５６が係合される溝部である。この状態から、駆動部４０の駆動力により第一シフトカム７１が正面１０Ａ側に移動すると、カム制御ピン５５６がこの小径ディスク用クランプ開始部７１６Ｂ１から小径ディスク用クランプ昇降部７１６Ｂ２に移動する。また、小径ディスク用クランプ開始部７１６Ｂ１は、待機溝７１６Ａ側の溝幅寸法がカム制御ピン５５６のピン径よりも大きく形成されており、小径ディスク用クランプ昇降部７１６Ｂ２に向かうにしたがって溝幅寸法が小さくなり、カム制御ピン５５６のピン径と略同一幅寸法となる略テーパ状に形成されている。
【０１０９】
小径ディスク用クランプ昇降部７１６Ｂ２は、小径ディスク用クランプ開始部７１６Ｂ１に連続するとともに溝幅寸法がカム制御ピン５５６のピン径と略同一径寸法、もしくは僅かに大きい溝幅寸法に形成されている。この小径ディスク用クランプ昇降部７１６Ｂ２は、小径ディスク１Ｂが挿入された場合において、クランプ昇降ピン２１Ｃがクランプ昇降溝７１４の退避部７１４Ａから待機部７１４Ｂの正面１０Ａ側端部に移動する区間で、カム制御ピン５５６が係合される溝であり、第一シフトカム７１の長手方向と略同一方向に長手状に形成されている。この小径ディスク用クランプ昇降部７１６Ｂ２にカム制御ピン５５６が係合している状態では、小径ディスク１Ｂはターンテーブル２３に保持されていない。
【０１１０】
小径ディスク用ホールド部７１６Ｂ３は、小径ディスク用クランプ昇降部７１６Ｂ２の背面１０Ｄ側端部から背面１０Ｄの左壁１０Ｂ側に向かって延出する溝部である。この小径ディスク用ホールド部７１６Ｂ３は、小径ディスク１Ｂが挿入された場合において、クランプ昇降ピン２１Ｃがクランプ昇降溝７１４の待機部７１４Ｂを移動する区間で、カム制御ピン５５６が係合される溝である。つまり、カム制御ピン５５６が小径ディスク用ホールド部７１６Ｂ３内を移動する間に、小径ディスク１Ｂのセンターホールがターンテーブル２３に位置決めされ、リンクプレート５５が左壁１０Ｂ側に移動してローディングアーム５１、サブローディングアーム５３、第一および第二イジェクトアーム６１，６２が小径ディスク１Ｂの周縁から接離移動する。したがって、カム制御ピン５５６が小径ディスク用ホールド部７１６Ｂ３の背面１０Ｄ側端部に位置する状態では、小径ディスク１Ｂがターンテーブル２３に位置決めされ、各アーム５１，５３，６１，６２が小径ディスク１Ｂの周縁から離隔している。
【０１１１】
小径ディスク用チャッキング部７１６Ｂ４は、小径ディスク用ホールド部７１６Ｂ３の背面１０Ｄ側端部から背面１０Ｄ側に向かって延出する溝部である。この小径ディスク用チャッキング部７１６Ｂ４は、小径ディスク１Ｂが挿入された場合において、クランプ昇降ピン２１Ｃがクランプ昇降溝７１４のクランプ部７１４Ｃおよび演奏可能部７１４Ｄを移動する区間で、カム制御ピン５５６が係合される溝である。この小径ディスク用チャッキング部７１６Ｂ４にカム制御ピン５５６が係合されている状態では、リンクプレート５５が最も左壁１０Ｂに移動された状態、すなわち、各アーム５１，５３，６１，６２が小径ディスク１Ｂの周縁から離隔させた状態で維持される。
【０１１２】
大径ディスク用カム溝７１６Ｃは、待機溝７１６Ａに連続形成され、待機溝７１６Ａの右壁１０Ｃ側から背面１０Ｄ側に向かって形成される溝である。この大径ディスク用カム溝７１６Ｃは、大径ディスク用クランプ開始部７１６Ｃ１と、大径ディスク用クランプ昇降部７１６Ｃ２と、大径ディスク用ホールド部７１６Ｃ３と、大径ディスク用チャッキング部７１６Ｃ４と、を備えている。
【０１１３】
大径ディスク用クランプ開始部７１６Ｃ１は、大径ディスク１Ａがターンテーブル２３にて保持可能な位置に搬入された状態（クランプ可能状態）において、カム制御ピン５５６が係合される溝部である。この状態から、駆動部４０の駆動力により第一シフトカム７１が正面１０Ａ側に移動すると、カム制御ピン５５６がこの大径ディスク用クランプ開始部７１６Ｃ１から大径ディスク用クランプ昇降部７１６Ｃ２に移動する。また、大径ディスク用クランプ開始部７１６Ｃ１は、小径ディスク用クランプ開始部７１６Ｂ１と同様に、待機溝７１６Ａ側の溝幅寸法がカム制御ピン５５６のピン径よりも大きく形成されており、大径ディスク用クランプ昇降部７１６Ｃ２に向かうにしたがって溝幅寸法がカム制御ピン５５６のピン径と略同一幅寸法となるテーパ状に形成されている。
【０１１４】
大径ディスク用クランプ昇降部７１６Ｃ２は、大径ディスク用クランプ開始部７１６Ｃ１に連続するとともに溝幅寸法がカム制御ピン５５６のピン径と略同一径寸法、もしくは僅かに大きい溝幅寸法に形成されている。この大径ディスク用クランプ昇降部７１６Ｃ２は、大径ディスク１Ａが挿入された場合において、クランプ昇降ピン２１Ｃがクランプ昇降溝７１４の退避部７１４Ａから待機部７１４Ｂの正面１０Ａ側端部に移動する区間で、カム制御ピン５５６が係合される溝であり、第一シフトカム７１の長手方向と略同一方向に長手状に形成されている。この大径ディスク用クランプ昇降部７１６Ｃ２にカム制御ピン５５６が係合している状態では、大径ディスク１Ａはターンテーブル２３に保持されていない。
【０１１５】
大径ディスク用ホールド部７１６Ｃ３は、大径ディスク用クランプ昇降部７１６Ｃ２の背面１０Ｄ側端部から背面１０Ｄの左壁１０Ｂ側に向かって延出する溝部である。この大径ディスク用ホールド部７１６Ｃ３は、大径ディスク１Ａが挿入された場合において、クランプ昇降ピン２１Ｃがクランプ昇降溝７１４の待機部７１４Ｂを移動する区間で、カム制御ピン５５６が係合される溝である。つまり、カム制御ピン５５６が大径ディスク用ホールド部７１６Ｃ３内を移動する間に、大径ディスク１Ａのセンターホールがターンテーブル２３に位置決めされ、リンクプレート５５が左壁１０Ｂ側に移動してローディングアーム５１、サブローディングアーム５３、第一および第二イジェクトアーム６１，６２が大径ディスク１Ａの周縁から接離移動する。したがって、カム制御ピン５５６が大径ディスク用ホールド部７１６Ｃ３の背面１０Ｄ側端部に位置する状態では、大径ディスク１Ａがターンテーブル２３に位置決めされ、各アーム５１，５３，６１，６２が大径ディスク１Ａの周縁から離隔している。
【０１１６】
大径ディスク用チャッキング部７１６Ｃ４は、大径ディスク用ホールド部７１６Ｃ３の背面１０Ｄ側端部から背面１０Ｄ側に向かって延出する溝部である。この大径ディスク用チャッキング部７１６Ｃ４は、大径ディスク１Ａが挿入された場合において、クランプ昇降ピン２１Ｃがクランプ昇降溝７１４のクランプ部７１４Ｃおよび演奏可能部７１４Ｄを移動する区間で、カム制御ピン５５６が係合される溝である。この大径ディスク用チャッキング部７１６Ｃ４にカム制御ピン５５６が係合されている状態では、リンクプレート５５が最も左壁１０Ｂに移動された状態、すなわち、各アーム５１，５３，６１，６２が大径ディスク１Ａの周縁から離隔させた状態で維持される。
【０１１７】
セレクトアーム７１３は、図１０に示すように、スライドプレート７１２の底面側に設けられている。このセレクトアーム７１３は、前後方向に長手状に形成され、正面１０Ａ側の一端部が支軸７１３Ａによりスライドプレート７１２に回動自在に軸支されている。この支軸７１３Ａには図示しないトーションばねが設けられ、セレクトアーム７１３を反時計回り方向に付勢している。
【０１１８】
また、セレクトアーム７１３の略中央部には、天面側に向かってアーム位置規制ピン７１３Ｂが突出して設けられている。このアーム位置規制ピン７１３Ｂの左壁１０Ｂ側は、リンクプレート５５のセレクト片５５４に当接している。そして、リンクプレート５５の左右方向への移動によりセレクト片５５４が左右方向に移動すると、セレクトアーム７１３はトーションばねの付勢力によりこのセレクト片５５４に追従して回動する。
【０１１９】
そして、セレクトアーム７１３の背面１０Ｄ側端部には、左壁１０Ｂ側に突出する第一押出壁部７１３Ｃが形成され、セレクトアーム７１３の略中央部には、右壁１０Ｃ側に第二押出壁部７１３Ｄが形成されている。
これらの第一および第二押出壁部７１３Ｃ，７１３Ｄは、第一イジェクトアーム６１のカム押出ピン６１３と当接可能で、第一イジェクトアーム６１の回動により、カム押出ピン６１３により正面１０Ａ側に押し出される。
ここで、ディスク装置１００内に大径ディスク１Ａが挿入されると、リンクプレート５５の移動量が大きくなるためセレクトアーム７１３の回動量も大きくなり、第二押出壁部７１３Ｄがカム押出ピン６１３により正面１０Ａ側に押し出される。また、ディスク装置１００内に小径ディスク１Ｂが挿入されると、リンクプレート５５の移動量が小さいため、セレクトアーム７１３の回動量も小さくなり、第一押出壁部７１３Ｃがカム押出ピン６１３により正面１０Ａ側に押し出される。
【０１２０】
また、第一シフトカム７１の背面１０Ｄ側近傍には、例えば底面に配置される制御回路部に搭載される第三スイッチＳＷ３が配設されている。この第三スイッチＳＷ３は、第一シフトカム７１の移動状態を検出する。
【０１２１】
具体的には、この第三スイッチＳＷ３は、上記第一および第二スイッチＳＷ１，ＳＷ２と同様に、制御回路部に接続され、スイッチ本体と可動片とを備えて構成されている。そして、第三スイッチＳＷ３は、第一シフトカム７１が最も正面１０Ａ側に移動すると、スイッチ当接部７１１Ｄが当接して押し込まれ、オン状態（Ｌレベル）になる。
【０１２２】
第二シフトカム７２は、第一シフトカム７１の動作と連動して左右方向にスライド移動する。すなわち、第一シフトカム７１が正面１０Ａ側に移動すると、第二シフトカムは左壁１０Ｂ側に移動し、第一シフトカム７１が背面１０Ｄ側に移動すると、第二シフトカムは右壁１０Ｃ側に移動する。また、第二シフトカムの正面１０Ａ側端面には、第一シフトカム７１のクランプ昇降溝７１４と略同一形状の図示しないクランプ昇降溝が形成されている。このクランプ昇降溝には、台座部２１から背面１０Ｄ側に突出する図示しないクランプ昇降ピン２１Ｃが係合されている。そして、第二シフトカムは、左右方向に移動することで第一シフトカム７１と同様に、ディスク処理部２０を揺動させている。
また、第二シフトカム７２の左壁１０Ｂ側端部には、ピン当接部７２１が設けられている。このピン当接部７２１は、第二シフトカム７２が最も左壁１０Ｂ側に移動した状態で、ガイド機構５６のガイド案内ピン５６１Ａを左壁１０Ｂ側に押し出し、ガイドアーム５６２を左壁１０Ｂ側に回動させる。
【０１２３】
エマージェンシー動作部８０は、エマージェンシーレバー８１を備えている。
このエマージェンシーレバー８１は、駆動部４０の第一伝達ギア４２１の近傍で、段差壁部１３近傍に設けられている。このエマージェンシーレバー８１は、図１２に示すように、回動支持部８１１と、ギア移動部８１２と、ピン当接部８１３と、を備えている。
回動支持部８１１は、筐体１０の底面に設けられ、前記した閉塞レバー１６を回動可能に支持する支持部に回動可能に支持されている。
ギア移動部８１２は、回動支持部８１１から第一伝達ギア４２１の底面側に延出する長手状に形成され、先端部に第一伝達ギア４２１の底面に当接可能なギア当接部８１２Ａが設けられている。
ピン当接部８１３は、段差壁部１３に略沿って長手に形成されるとともに、第一シフトカム７１の移動経路の延長上に配設されている。このピン当接部８１３の背面１０Ｄ側端部が回動支持部８１１に連結されている。また、このピン当接部８１３の正面１０Ａ側には、背面１０Ｄ側に向かうにしたがって底面側から天面側に傾斜する傾斜片８１３Ａが形成されている。
【０１２４】
このエマージェンシーレバー８１は、第一エマージェンシーピン挿通孔１０Ａ３から例えば長手状の第一エマージェンシーピン９２０（図１９参照）が挿通されると、第一エマージェンシーピン９２０の先端部がピン当接部８１３の傾斜片８１３Ａに当接する。そして、第一エマージェンシーピン９２０をさらに挿通すると、この第一エマージェンシーピン９２０が傾斜片８１３Ａを底面側に押し下げるため、エマージェンシーレバー８１が回動支持部８１１を中心に回動し、ギア移動部８１２が天面側に移動して第一伝達ギア４２１を天面側に押し上げる。
【０１２５】
〔ディスク装置の動作〕
次に、上記ディスク装置の動作における電源オン時の小径ディスク１Ｂの搬送動作および電源オフ時の小径ディスク１Ｂの搬送動作について、図面に参照して説明する。
図１５は、小径ディスクのモータ駆動開始状態におけるディスク装置の内部を示す平面図である。図１６は、小径ディスクのカム押出開始状態におけるディスク装置の内部を示す平面図である。図１７は、小径ディスクの搬入完了状態におけるディスク装置の内部を示す平面図である。図１８は、小径ディスクの演奏可能状態時におけるディスク装置の内部を示す平面図である。図１９は、電源オフ時において小径ディスクを挿入した状態におけるディスク装置内部を示す平面図である。図２０は、電源オフ時において小径ディスクが搬出された状態におけるディスク装置内部を示す平面図である。
【０１２６】
（電源オン時における小径ディスクの搬入動作）
先ず、ディスク装置１００に小径ディスク１Ｂを挿入した場合の搬入動作を説明する。
図１に示すように、初期状態のディスク装置１００の挿排口１４から小径ディスク１Ｂを挿入すると、この小径ディスク１Ｂの周縁部がサブローディングアーム５３の底面側案内部５３２Ａおよび天面側案内部５３１Ａ１に案内されて、サブローディングアーム５３の摺動壁５３２Ｂに当接する。また、ローディングアーム５１のローラ５１３に当接する。
小径ディスク１Ｂをさらに背面１０Ｄ側に挿入すると、小径ディスク１Ｂの周縁がローディングアーム５１およびサブローディングアーム５３の双方に当接して押し込まれるため、当該両アームがそれぞれ右壁１０Ｃ側および左壁１０Ｂ側に回動する。
【０１２７】
また、初期状態では、第一伝達ギア４２１は、雄型ギア４２１Ａに設けられるギアピン４２１Ａ３が雌型ギア４２１Ｂのギアピン係合溝４２１Ｂ２内の第一ギアピン係止部４２１Ｂ３に当接し、雌型ギア４２１Ｂが時計回り方向に空周り可能となっている。したがって、小径ディスク１Ｂの挿入により、ローラ５１３が搬入方向に空周りする。そして、小径ディスク１Ｂが所定量挿入され、雌型ギア４２１Ｂが空周りして、ギアピン係合溝４２１Ｂ２内の第二ギアピン係止部４２１Ｂ４がギアピン４２１Ａ３に当接すると、ローラ５１３が搬入方向に空周り不可能となる。
【０１２８】
また、ローディングアーム５１が僅かに回動すると、リンクプレート５５も左壁１０Ｂ側に移動し、これに伴ってスイッチ片５５８も左壁１０Ｂ側に移動し、第二スイッチＳＷ２の可動片が押し込まれ、第二スイッチＳＷ２がオン状態となる。この第二スイッチＳＷ２がオン状態になることにより、制御回路部は、光ディスク１が挿排口１４から挿入されたことを認識する。
【０１２９】
この後、さらに小径ディスク１Ｂを挿入すると、ローディングアーム５１がさらに右壁１０Ｃ側に回動し、リンクプレート５５も左壁１０Ｂ側に移動する。そして、図１５に示すように、リンクプレート５５のスイッチ片５５７が第一スイッチＳＷ１の可動片を押し込み、第一スイッチＳＷ１がオン状態になると、制御回路部は、駆動モータ４１を駆動させる（モータ駆動開始状態）。
この駆動モータ４１の駆動により第一伝達ギア４２１の雄型ギア４２１Ａが時計回り方向に回転し、ギアピン４２１Ａ３がギアピン係合溝４２１Ｂ２内を移動して、再び第一ギアピン係止部４２１Ｂ３に当接する。これにより、駆動モータ４１の駆動力が雄型ギア４２１Ａから雌型ギア４２１Ｂに伝達可能となり、駆動伝達ギア群４２からローディングアーム５１のローラ５１３に伝達して、ローラ５１３が小径ディスク１Ｂを搬入する方向、すなわち時計回り方向に回転駆動する。
また、このモータ駆動開始状態では、ローディングアーム５１は、アームピン５１１Ｄがローディングアーム付勢部１２Ａのアーム当接部１２Ｂに当接する状態まで回動される。
【０１３０】
この後、ローラ５１３の案内により小径ディスク１Ｂがさらにディスク装置１００内部に搬入されると、小径ディスク１Ｂの搬入方向先端縁がガイドアーム５６２のディスクガイド部５６２Ｃに当接する。具体的には、小径ディスク１Ｂの搬入先端縁がフランジ部５６２Ｅに当接し、ディスク受部５６２Ｄに案内され、ディスク受部５６２Ｄにて保持される。
この状態では、ガイドアーム５６２のガイド連結軸５６２Ｂが右側位置状態のため、ガイドアーム５６２は、時計回り方向の付勢力を受ける。
【０１３１】
そして、さらに小径ディスク１Ｂが背面１０Ｄ側に搬入されると、小径ディスク１Ｂの周縁が第一および第二イジェクトアーム６１，６２に当接する。この状態からさらに小径ディスク１Ｂがディスク装置１００内部に搬入されると、ローディングアーム５１の回動に連動してリンクプレート５５がさらに左壁１０Ｂ側に移動する。
このリンクプレート５５の移動によりセレクト片５５４も左壁１０Ｂ側に移動し、セレクトアーム７１３のアーム位置規制ピン７１３Ｂがセレクト片５５４に追従して左壁１０Ｂ側に移動する。この時、小径ディスク１Ｂの搬入時では、大径ディスク１Ａの搬入動作時に比べてローディングアーム５１の回動量も小さく、セレクトアーム７１３の回動量も小さくなる。このため、小径ディスク１Ｂの周縁部により押し出されて回動した第一イジェクトアーム６１のカム押出ピン６１３は、図１６に示すように、セレクトアーム７１３の第一押出壁部７１３Ｃに当接する（カム押出開始状態）。また、リンクプレート５５の移動により、カム制御ピン５５６がスライドプレート７１２のカム溝７１６内の小径ディスク用クランプ開始部７１６Ｂ１まで移動する。
【０１３２】
この後、さらに、第一イジェクトアーム６１の回動により、カム押出ピン６１３は、セレクトアーム７１３の第一押出壁部７１３Ｃを正面１０Ａ側に押し出す。
この時、駆動伝達ギア群４２のカムシフトギア４２５は、時計回り方向に回転駆動しているため、ロックアーム４２６も摩擦力により時計回り方向に付勢され、ロックピン４２６Ｄがロック係合溝７１１Ｂの長手係合部７１１Ｂ１に係合している状態、すなわちカムロック解除状態となっている。また、リンクプレート５５のカム制御ピン５５６が、小径ディスク用カム溝７１６Ｂに移動可能な位置に位置している。
このため、第一シフトカム７１は、カム押出ピン６１３により押し出されると、正面１０Ａ側に移動する。
【０１３３】
そして、小径ディスク１Ｂがさらに背面１０Ｄ側に搬入されると、第一シフトカム７１は第一イジェクトアーム６１のカム押出ピン６１３によりさらに正面１０Ａ側に移動される。そして、小径ディスク１Ｂが完全にディスク装置１００の内部に搬入された状態、すなわち小径ディスク１Ｂの搬入終端縁部が挿排口１４よりも背面１０Ｄ側に搬入された状態で、第一シフトカム７１のラック７１１Ａがカムシフトギア４２５のピニオンギア４２５Ｂに係合される（カム駆動伝達状態）。
【０１３４】
この後、さらに小径ディスク１Ｂが背面１０Ｄ側に搬入され、小径ディスク１Ｂのセンターホールがターンテーブル２３の上方に移動すると、図１７に示すように、搬入完了状態となる。この状態では、イジェクトピン６１１が小径規制係合部５５３Ａに係合され、第一イジェクトアーム６１および第二イジェクトアーム６２の移動が規制される。この状態では、小径ディスク１Ｂは、ローディングアーム５１のローラ５１３、サブローディングアーム５３の摺動壁５３２Ｂ、第一イジェクトアーム６１の第一ディスク当接部６１２、および第二イジェクトアーム６２の第二ディスク当接部６２２に保持されている。
この状態では、ガイドアーム５６２は、ディスクガイド部５６２Ｃが小径ディスク１Ｂの周縁部に押されて、左壁１０Ｂ側に回動し、ガイドアーム５６２のガイド連結軸５６２Ｂが、線分上位置状態となる。すなわち、ガイドアーム５６２は、時計回り方向または反時計回り方向の付勢力を受けない状態となる。
【０１３５】
また、第一シフトカム７１が駆動モータ４１の駆動力により正面１０Ａ側に移動すると、クランプ動作が開始される。
クランプ動作は、第一シフトカム７１の移動により、台座部２１のクランプ昇降ピン２１Ｃが、第一シフトカム７１のクランプ昇降溝７１４内を移動することで実施される。具体的には、第一シフトカム７１の移動開始時から搬入完了状態までは、クランプ昇降ピン２１Ｃは、退避部７１４Ａに配置されており、台座部２１は退避部７１４Ａの高さ位置に対応して筐体１０の底面側に位置している。
【０１３６】
この状態からさらに第一シフトカム７１が正面１０Ａ側に移動すると、クランプ昇降ピン２１Ｃが待機部７１４Ｂに移動する。これにより、台座部２１は、待機部７１４Ｂに対応する高さ位置で一旦昇降が停止され、小径ディスク１Ｂのセンターホールにターンテーブル２３のディスク係合部２３Ａが挿通されて小径ディスク１Ｂが位置決めされるとともに、小径ディスク１Ｂの位置補正が実施される。
【０１３７】
また、クランプ昇降ピン２１Ｃが退避部７１４Ａから待機部７１４Ｂに移動するまでに、カム制御ピン５５６は、小径ディスク用クランプ昇降部７１６Ｂ２内を背面１０Ｄ側に移動する。
そして、クランプ昇降ピン２１Ｃが待機部７１４Ｂを背面１０Ｄ側に移動する間に、カム制御ピン５５６は、小径ディスク用ホールド部７１６Ｂ３内を背面１０Ｄ側に移動する。これにより、リンクプレート５５が左壁１０Ｂ側に移動する。そして、クランプ昇降ピン２１Ｃが待機部７１４Ｂおよびクランプ部７１４Ｃの連結位置まで移動すると、カム制御ピン５５６は、小径ディスク用ホールド部７１６Ｂ３および小径ディスク用チャッキング部７１６Ｂ４との連結位置まで移動する。この時、スライドリンクピン５５１が、第二ローディング係合溝５２２Ｄのスライド移動区間５２２Ｄ１の最も背面１０Ｄ側に移動する。これにより、ローディングスライドプレート５２２が正面１０Ａ側に移動し、ローディングアーム５１が最も右壁１０Ｃ側に回動した状態となる。よって、ローディングアーム５１のローラ５１３が小径ディスク１Ｂの周縁から離隔する。さらに、リンクプレート５５の左壁１０Ｂ側への移動により、プレートリンクピン５４１Ｆが同期係合溝５５２Ｂに沿って正面１０Ａ側に移動するため、サブローディングアーム５３も左壁１０Ｂ側に回動し、小径ディスク１Ｂの周縁から離隔する。さらには、第一イジェクトアーム６１のイジェクトピン６１１が小径離隔係合部５５３Ｃに移動し、第一および第二イジェクトアーム６１，６２が小径ディスク１Ｂの周縁から離隔する。
この時、小径ディスク１Ｂは、ターンテーブル２３に位置決めされているため、ディスク装置１００内で脱離することがない。
【０１３８】
さらに、第一シフトカム７１が正面１０Ａ側に移動すると、クランプ昇降ピン２１Ｃがクランプ部７１４Ｃに移動する。これにより、台座部２１が天面側に移動し、ターンテーブル２３と天面に設けられるクランプ部材との間に小径ディスク１Ｂを挟みこみ、ディスク係合部２３Ａに小径ディスク１Ｂのセンターホールを係合させ、クランプ動作が完了する。この後、クランプ昇降ピン２１Ｃが演奏可能部７１４Ｄに移動すると、図１８に示すように、台座部２１が情報処理部２４にて小径ディスク１Ｂの情報を処理可能な高さ位置に移動する。
この時、カム制御ピン５５６は、小径ディスク用チャッキング部７１６Ｂ４に係合される。これにより、各アーム５１，５３，６１，６２が小径ディスク１Ｂから離隔した状態に維持される。
【０１３９】
そして、第一シフトカム７１に連動して第二シフトカム７２も左壁１０Ｂ側に移動する。これにより、第二シフトカム７２のピン当接部７２１がガイドプレート５６１のガイド案内ピン５６１Ａを左壁１０Ｂ側に移動させる。これにより、ガイドアーム５６２のガイド連結軸５６２Ｂが左側位置状態になるため、ガイドアーム５６２は、反時計回り方向に付勢力を受ける。
【０１４０】
この後、第一シフトカム７１がさらに正面１０Ａ側に移動すると、第三スイッチＳＷ３の可動片と第一シフトカム７１のスイッチ当接部７１１Ｄとが当接してオン状態となる。これにより、制御回路部は、小径ディスク１Ｂのクランプが完了し、演奏可能状態となったことを認識し、駆動モータ４１を停止させる。
【０１４１】
そして、制御回路部は、ディスク処理部２０の情報処理部２４の駆動を制御し、小径ディスク１Ｂの情報を処理、すなわち、小径ディスク１Ｂへの情報を書込む書込処理や、小径ディスク１Ｂに記録された情報を読み込む読込処理を実施する。
また、制御回路部は、ターンテーブル２３の回転トルクを検出することにより、挿入された光ディスク１が小径ディスク１Ｂであることを認識する。
【０１４２】
（電源オン時における小径ディスクの搬出動作）
次に、小径ディスク１Ｂの搬出動作について説明する。
ディスク装置１００の制御回路部は、例えば図示しないイジェクトボタンが押されるなどして、小径ディスク１Ｂを搬出する旨の入力信号を認識すると、光ディスク１の情報処理動作を停止し、小径ディスク１Ｂを筐体１０の外部に搬出させる動作を実施する。
【０１４３】
この搬出させる動作としては、制御回路部は、まずスピンドルモータに逆電流を流通させてターンテーブル２３の回転を停止させる。
その後、駆動部４０の駆動モータ４１を駆動させて第一シフトカム７１を背面１０Ｄ側に移動させる。
また、この駆動モータ４１の駆動開始時おいて、第一伝達ギア４２１は、雄型ギア４２１Ａに設けられるギアピン４２１Ａ３が雌型ギア４２１Ｂのギアピン係合溝４２１Ｂ２内の第一ギアピン係止部４２１Ｂ３に当接している。この状態から駆動モータ４１を駆動させて雄型ギア４２１Ａを反時計回り方向に回転させると、ギアピン４２１Ａ３はギアピン係合溝４２１Ｂ２に沿って反時計回り方向に移動し、第二ギアピン係止部４２１Ｂ４に当接する。この状態で、雌型ギア４２１Ｂは雄型ギア４２１Ａから駆動力が伝達される状態となり、駆動モータ４１の駆動力により反時計回り方向に回転駆動する。
さらに、第一シフトカム７１の背面１０Ｄ側への移動により、カム制御ピン５５６が小径ディスク用カム溝７１６Ｂを正面１０Ａ側に移動する。そして、カム制御ピン５５６が小径ディスク用ホールド部７１６Ｂ３に沿って正面１０Ａ側に移動すると、リンクプレート５５が右壁１０Ｃ側に移動する。したがって、リンクプレート５５に連動してローディングアーム５１、サブローディングアーム５３、第一および第二イジェクトアーム６１，６２が回動し、小径ディスク１Ｂがローラ５１３、案内ゴム５３５、第一および第二ディスク当接部６１２，６２２により保持される。
【０１４４】
この状態で、さらに第一シフトカム７１が背面１０Ｄ側に移動すると、台座部２１が底面側に移動するため、図示しないイジェクトピンによりターンテーブル２３から小径ディスク１Ｂが脱離する。
【０１４５】
この後、ローディングアーム５１のローラ５１３の駆動および第一および第二イジェクトアーム６１，６２の付勢力により、小径ディスク１Ｂは正面１０Ａ側に搬出される。
そして、小径ディスク１Ｂが図２１に示すように、モータ駆動開始状態と略同一位置まで搬出されると、リンクプレート５５のスイッチ片５５７が第一スイッチＳＷ１から離隔する。この状態から、さらに小径ディスク１Ｂを排出すると、リンクプレート５５がさらに右壁１０Ｃ側に移動するため、スイッチ片５５８が第二スイッチＳＷ２から離隔し、オフ状態となる。
【０１４６】
そして、制御回路部は、この第二スイッチＳＷ２がオフ状態となったことを検出すると、小径ディスク１Ｂが排出されたことを認識するとともに、所定時間の間、駆動モータ４１を駆動させる、いわゆるディレイ駆動を実施する。このディレイ駆動により小径ディスク１Ｂはさらに正面１０Ａ側に排出される。この時、サブアームスライドプレート５４１が背面１０Ｄ側に付勢されているため、ローディングアーム５１は、ローラ５１３が小径ディスク１Ｂの周縁に当接した状態で小径ディスク１Ｂに追従して回動する。そして、ローディングアーム５１のストッパ片５１１Ｃがカバー部材４３の段差部４３１に当接すると、ローディングアーム５１の移動が規制される。この状態において、小径ディスク１Ｂは、センターホールの背面１０Ｄ側端縁が挿排口１４から排出された状態となる。
そして、制御回路部は、ディレイ駆動の実施から所定時間の後、駆動モータ４１を所定時間反転駆動させた後、駆動を停止させる。すなわち、駆動モータ４１の反転駆動により、雄型ギア４２１Ａが時計回り方向に回転し、ギアピン４２１Ａ３もギアピン係合溝４２１Ｂ２に沿って時計回り方向に移動する。そして、ギアピン４２１Ａ３が第一ギアピン係止部４２１Ｂ３に当接すると、第一伝達ギア４２１が初期状態となる。ここで、駆動モータ４１を反転駆動させる所定時間としては、少なくともギアピン４２１Ａ３がギアピン係合溝Ｂ２内の第二ギアピン係止部４２１Ｂ４から第一ギアピン係止部４２１Ｂ３に移動可能な時間であればよい。
【０１４７】
また、ローディングアーム５１およびサブローディングアーム５３の回動に連動して、サブアームスライドプレート５４１も背面１０Ｄ側に移動する。これにより、リバースピン５４１Ｇの背面１０Ｄ側がガイドアーム５６２の戻り当接部５６２Ｇに当接し背面１０Ｄ側に移動することによって、ガイドアーム５６２のガイド連結軸５６２Ｂが右側位置状態となる。これにより、ガイドアーム５６２は、時計回り方向に付勢力を受け、初期状態まで回動する。
【０１４８】
（電源オフ時における小径ディスクの搬送動作）
次に、ディスク装置１００に電力が供給されていない状態で、小径ディスク１Ｂが挿入された際の動作について説明する。
上記した通常時の小径ディスク１Ｂの搬入動作と同様に、初期状態のディスク装置１００の挿排口１４から小径ディスク１Ｂを挿入すると、この小径ディスク１Ｂの周縁部がローディングアーム５１のローラ５１３およびサブローディングアーム５３の摺動壁５３２Ｂに当接する。
この状態でさらに小径ディスク１Ｂを背面１０Ｄ側に挿入すると、小径ディスク１Ｂの周縁がローディングアーム５１およびサブローディングアーム５３の双方に当接して押し込まれるため、当該両アームがそれぞれ右壁１０Ｃ側および左壁１０Ｂ側に回動する。
そして、小径ディスク１Ｂの挿入により、小径ディスク１Ｂの周縁がスライドガイド５３３の案内ゴム５３５に当接し、さらに小径ディスク１Ｂが挿入されると、スライドガイド５３３がサブローディングアーム５３の先端側から突出する状態に移動する。
【０１４９】
また、電源が供給されていないため、図１５に示すようなモータ駆動開始状態まで、ローディングアーム５１は右壁１０Ｃ側に回動されても、駆動モータ４１が駆動せず、ローラ５１３は回転しない。この状態で、さらに、小径ディスク１Ｂが挿入されると、ガイドアーム５６２が小径ディスク１Ｂに押し込まれて背面１０Ｄ側に回動し、図１９に示すように、小径ディスク１Ｂが完全にディスク装置１００の内部に挿入されてしまう状態になる。
【０１５０】
ここで、ガイドアーム５６２は、時計回り方向に付勢されているため、例えば利用者が小径ディスク１Ｂから手を離すなどして、小径ディスク１Ｂをディスク装置１００の内部に搬入する力がなくなると、小径ディスク１Ｂはガイドアーム５６２の付勢力により挿排口１４から搬出される。この時、スライドガイド５３３がサブローディングアーム５３の先端側から突出した状態に移動しているため、ガイドアーム５６２の付勢力により小径ディスク１Ｂが搬出方向に移動すると、スライドガイド５３３がサブローディングアーム５３の基端側に移動する。この時、案内ゴム５３５に小径ディスク１Ｂの周縁部が当接して、保持されているので、スライドガイド５３３の移動により、容易に小径ディスク１Ｂが挿排口１４から所定寸法だけ排出させることが可能となる。
【０１５１】
（電源オフ時における大径ディスクの搬送動作）
なお、ディスク装置１００の電源オフ時に大径ディスク１Ａが挿入された場合も、サブローディングアーム５３は、上記小径ディスク１Ｂの挿入時と略同一動作を実施する。
すなわち、ディスク装置１００の電源オフ時に大径ディスク１Ａが所定量挿入されると、サブローディングアーム５３のスライドガイド５３３は、大径ディスク１Ａの挿入に追随して先端側に移動される。そして、大径ディスク１Ａがディスク装置１００内部に略完全に挿入され、例えば利用者が大径ディスク１Ａから手を離すなどして、大径ディスク１Ａをディスク装置１００の内部に挿入する力がなくなると、イジェクトアーム６１，６２の付勢力により大径ディスク１Ａが搬出方向に付勢される。この時、スライドガイド５３３がサブローディングアーム５３の先端側から突出した状態に移動しているため、イジェクトアーム６１，６２の付勢力により大径ディスク１Ａが搬出方向に移動すると、スライドガイド５３３もサブローディングアーム５３の基端側に移動する。また、この時、案内ゴム５３５に大径ディスク１Ａの周縁部が当接して、保持されているので、スライドガイド５３３の移動により、容易に大径ディスク１Ａが挿排口１４から所定寸法だけ排出させることが可能となる。
【０１５２】
〔ディスク装置の作用効果〕
上述したように、上記実施の形態のディスク装置１００では、光ディスク１を搬出方向に押し出すガイドアーム５６２と、光ディスク１の搬送を案内するサブローディングアーム５３と、を備えている。そして、このサブローディングアーム５３の先端に、サブローディングアーム５３の長手方向に沿って進退可能で、光ディスク１の周縁を保持するスライドガイド５３３が設けられている。
このため、ディスク装置１００の電力が供給されていない電源オフ時に小径ディスク１Ｂが挿入された際に、小径ディスク１Ｂの挿入に追従して先端側に移動したスライドガイド５３３を、ガイドアーム５６２の付勢力により容易に基端側に移動させることができる。したがって、少なくともスライドガイド５３３のサブローディングアーム５３の基端側への移動分だけ挿排口１４から小径ディスク１Ｂを排出させることができ、この排出された小径ディスク１Ｂを例えば手で引き抜くなどすることで容易に小径ディスク１Ｂを取り出すことができる。よって、電源オフ時に小径ディスク１Ｂが挿入されたとしても、小径ディスク１Ｂを取り出すことができなくなる不都合を防止でき、光ディスク１の多重挿入による動作不良なども防止できる。
また、ディスク装置１００の電源オフ時に大径ディスク１Ａが挿入された場合でも、上記電源オフ時の小径ディスク１Ｂの挿入時と略同様の効果が得られる。すなわち、ディスク装置１００の電源オフ時に大径ディスク１Ａが挿入されると、大径ディスク１Ａの挿入に追随してスライドガイド５３３がサブローディングアーム５３の先端側に移動する。そして、大径ディスク１Ａの略全体がディスク装置１００内部に挿入されると、イジェクトアーム６１，６２が大径ディスク１Ａを挿排口１４側に付勢し、この付勢力によりスライドガイド５３３がサブローディングアーム５３の基端側に移動する。このため、少なくともこのスライドガイド５３３の移動分だけ大径ディスク１Ａが挿排口１４から排出されることになり、この排出された大径ディスク１Ａの一部を例えば手で引き抜くなどすることで大径ディスク１Ａを容易に取り出すことができる。
【０１５３】
また、スライドガイド５３３は、光ディスク１の周縁に当接する案内ゴム５３５を備えている。
このため、光ディスク１をこの案内ゴム５３５にて良好に保持することができる。したがって、電源オン時に光ディスク１をディスク装置１００の内外に搬送する際には、ローラ５１３の回転により、この案内ゴム５３５のグリップ力を利用して光ディスク１を略転がすようにして搬送することができる。
また、電源オフ時において光ディスク１が挿入された際には、光ディスク１の周縁を保持した状態で、スライド部材５３４を良好に突出方向に移動させることができる。
さらに、電源オフ時において、光ディスク１が完全にディスク装置１００の内部に搬入され、ガイドアーム５６２（またはイジェクトアーム６１，６２）の付勢力により、光ディスク１が搬出方向に付勢された際には、案内ゴム５３５のグリップ力により光ディスク１を保持してスライド部材５３４をサブローディングアーム５３の基端側に移動させることができる。したがって、スライドガイド５３３のみがサブローディングアーム５３の基端側に移動して、光ディスク１が搬出されない不都合を防止でき、光ディスク１をスライドガイド５３３に追従させて移動させて確実に挿排口１４から搬出させることができる。
【０１５４】
そして、サブローディングアーム５３の枠部材５３１は、長手状のガイド保持溝５３１Ｃ４を備え、スライドガイド５３３のスライド部材５３４は、このガイド保持溝５３１Ｃ４に係合するスライド係合突起５３４Ｂを備えている。
このため、スライドガイド５３３の進退方向を規制することができ、良好に光ディスク１の搬送を案内することができる。また、電源オフ時においても、スライドガイド５３３をサブローディングアーム５３の基端側に良好に移動させることができ、光ディスク１の搬出を良好に案内できる。また、スライドガイド５３３の抜け落ちなどをも防止できる。
【０１５５】
また、枠部材５３１のスライドガイド保持部５３１Ｃは、互いに対向する天面側対向片５３１Ｃ１および底面側対向片５３１Ｃ２と、これらの対向片５３１Ｃ１，５３１Ｃ２を連結する連結部５３１Ｃ３を備えた断面略コ字状に形成され、底面側対向片５３１Ｃ２にガイド保持溝５３１Ｃ４が設けられている。また、スライドガイド５３３は、対向片５３１Ｃ１，５３１Ｃ２に挟持される状態に配設され、底面側対向片５３１Ｃ２に対向する位置にスライド係合突起５３４Ｂが設けられている。
このため、スライドガイド５３３は、対向片５３１Ｃ１，５３１Ｃ２により挟持されて天面側および底面側への移動を規制がされるので、スライドガイド５３３のガタなどを防止できる。また、底面側対向片５３１Ｃ２に設けられるガイド保持溝５３１Ｃ４にスライド係合突起５３４Ｂを係合させることで、スライドガイド５３３がスライドガイド保持部５３１Ｃのコ字開口側から抜け落ちるのを防止でき、良好にスライドガイド５３３の移動を案内することができる。
【０１５６】
また、スライド係合突起５３４Ｂは、連結部５３１Ｃ３に対向する面５３４Ｂ１が、スライド基部５３４Ａから突出する突出方向に向かうに従って、連結部５３１Ｃ３から離れる方向に傾斜するテーパ状に形成されている。このため、スライド部材５３４は、スライドガイド保持部５３１Ｃのコ字開口側から容易に挿入することができ、製造性を良好にすることができる。
さらに、スライド係合突起５３４Ｂの幅寸法は、ガイド保持溝５３１Ｃ４の幅寸法と略同一寸法に形成されているため、スライドガイド５３３の長手方向に略直交する方向への移動を良好に規制することができ、スライドガイド５３３の移動時におけるガタなどを防止することができる。
【０１５７】
また、案内ゴム５３５は、断面略長円形状となる略筒状に形成されている。
一般に案内ゴム５３５が円筒形に形成されているゴム部材を案内ゴム挿通部５３４Ｃの長手形状に対応して弾性変形させて装着させた場合、光ディスク１の搬送経路に対向する周面が膨らんで突出してしまうという不都合がある。これに対して、案内ゴム５３５は、一対の直線部およびこれら直線部の端部同士を連結する一対の半円部を有する断面略長円形状に形成されているため、案内ゴム挿通部５３４Ｃにこの案内ゴム５３５を装着させた際に、周面が膨らむことがなく、良好に光ディスク１の周縁を案内することができる。
【０１５８】
さらに、ディスク案内部材５３２は、スライドガイド５３３側の端縁にガイドストッパを備え、スライド基部５３４Ａは、このガイドストッパに当接可能なストッパ当接部５３４Ｄを備えている。
このため、スライドガイド５３３が、サブローディングアーム５３の基端側に移動した際に、ストッパ当接部５３４Ｄがガイドストッパに当接し、スライドガイド５３３の移動範囲を規制することができる。
【０１５９】
そして、案内ゴム挿通部５３４Ｃの天面側には、ゴム押え片５３４Ｃ１が設けられている。
このため、案内ゴム５３５をスライド基部５３４Ａの天面側およびゴム押え片５３４Ｃ１にて挟持することができ、案内ゴム５３５の抜け落ちなどの不都合を防止できる。
【０１６０】
〔実施の形態の変形〕
なお、本発明は、上述した一実施の形態に限定されるものではなく、本発明の目的を達成できる範囲で以下に示される変形をも含むものである。
【０１６１】
すなわち、上記実施の形態では、ディスク装置１００は、ノート型パーソナルコンピュータなどに搭載可能な薄型ディスク装置を例示したが、これに限定されず、例えばデスクトップ型パーソナルコンピュータなどに搭載される比較的大型のディスク装置にも適用することができる。
【０１６２】
また、搬出アームとして、第一イジェクトアーム６１およびガイドアーム５６２を例示したが、例えばその他のアーム構成により光ディスク１を搬出方向に付勢する構成であってもよい。
【０１６３】
さらに、図２１に示すように、スライドガイド５３３をサブローディングアーム５３の基端側に付勢する付勢部材を設ける構成としてもよい。
すなわち、図２１において、スライドガイド５３３を構成するスライド基部５３４Ａの底面側には、ばね掛け部５３４Ｅが設けられている。また、ディスク案内部材５３２の底面側には、スライドガイド５３３側の端部近傍に、ばね掛け部５３２Ｃが形成されている。そして、これらのばね掛け部５３４Ｅ，５３２Ｃの間には、付勢部材としてのばね部材５３６が設けられている。なお、ばね掛け部５３４Ｅ，５３２Ｃは、光ディスク１の搬送経路に干渉しない位置であれば、どの位置に設けられていてもよく、例えばスライド基部５３４Ａおよびディスク案内部材５３２の左壁１０Ｂに対向する位置に設けられる構成としてもよい。
この構成では、スライドガイド５３３が常にサブローディングアーム５３の基端側に付勢されているため、ディスク装置１００の電源オフ時に光ディスク１が挿入された際に、ガイドアーム５６２（またはイジェクトアーム６１，６２）の付勢力が弱い場合でも、ばね部材５３６の付勢力によりスライドガイド５３３の基端側への移動を補佐することができ、光ディスク１をより確実に搬出させることができる。
【０１６４】
また、案内ゴム５３５は、図２２に示すような形状に構成されているものであってもよい。
すなわち、図２２において、案内ゴム５３５は、周面が光ディスク１の搬送方向に対して略直交する方向に長手となる複数の凹溝部５３５Ｂが設けられ、周面が凹凸形状に形成されている。
このような案内ゴム５３５では、光ディスク１との当接点における面圧を増大させることができるため、光ディスク１を保持するグリップ力が増大し、良好に光ディスク１を保持することができる。したがって、光ディスク１のローディング動作時においては、ローラ５１３の回転により光ディスク１を良好に略転がすように搬送することができる。また、ディスク装置１００の電源オフ時に光ディスク１が挿入された場合では、光ディスク１の挿入状態により良好にスライドガイド５３３を移動させることができる。
さらには、凹溝部５３５Ｂに埃などを逃がすことができるため、光ディスク１の周面および案内ゴム５３５の当接点におけるグリップ力の低下を抑えることができ、案内ゴム５３５の長寿命化を図ることができる。
【０１６５】
また、上記実施の形態では、底面側対向片５３１Ｃ２にガイド保持溝５３１Ｃ４が形成され、これに対応してスライド基部５３４Ａの底面側にスライド係合突起５３４Ｂが形成される構成を示したが、これに限られない。例えば、天面側対向片５３１Ｃ１にガイド保持溝５３１Ｃ４が形成され、スライド部材５３４の案内ゴム挿通部５３４Ｃの天面側にスライド係合突起５３４Ｂを設ける構成としてもよく、天面側対向片５３１Ｃ１および底面側対向片５３１Ｃ２の双方にガイド保持溝５３１Ｃ４を設け、スライド基部５３４Ａの天面側および底面側にスライド係合突起５３４Ｂを設ける構成としてもよい。
さらに、連結部５３１Ｃ３にガイド保持溝を設けてもよい。この場合、スライド部材５３４に連結部５３１Ｃ３と対向する対向面を形成し、この対向面にガイド保持溝に係合可能なスライド係合突起を設ける構成としてもよい。この構成では、天面側対向片５３１Ｃ１および底面側対向片５３１Ｃ２のコ字開口部側の端縁から互いに対向する方向に延出するフランジ部を設けることで、スライドガイド５３３の抜け落ちを防止する構成とすることができる。
【０１６６】
さらには、スライドガイド保持部５３１Ｃが天面側対向片５３１Ｃ１、底面側対向片５３１Ｃ２および連結部５３１Ｃ３を備えた断面略コ字状に形成される構成を示したが、これに限らない。例えば、枠部材５３１の側壁部５３１Ａ２にレールを設け、このレールにスライドガイド５３３を進退可能に保持させる構成としてもよい。
【０１６７】
そして、スライドガイド５３３にスライド係合突起５３４Ｂを設け、スライドガイド保持部５３１Ｃにガイド保持溝５３１Ｃ４を設ける構成としたが、例えば、スライドガイドに進退方向に沿って延出する凹溝を設け、スライドガイド保持部５３１Ｃにこの凹溝に係合する係合突起を設ける構成などとしてもよい。
【０１６８】
その他、本発明の実施の際の具体的な構造および手順は、本発明の目的を達成できる範囲で他の構造などに適宜変更できる。
【０１６９】
〔実施の形態の効果〕
上述したように、上記実施の形態のディスク装置１００では、光ディスク１を搬出方向に押し出すガイドアーム５６２と、光ディスク１の搬送を案内するサブローディングアーム５３と、を備えている。そして、このサブローディングアーム５３の先端に、サブローディングアーム５３の長手方向に沿って進退可能で、光ディスク１の周縁を保持するスライドガイド５３３が設けられている。
このため、ディスク装置１００の電力が供給されていない電源オフ時に光ディスク１が挿入された際に、光ディスク１の挿入に追従して先端側に移動したスライドガイド５３３を、ガイドアーム５６２（またはイジェクトアーム６１，６２）の付勢力により容易に基端側に移動させることができる。したがって、少なくともスライドガイド５３３のサブローディングアーム５３の基端側への移動分だけ挿排口１４から光ディスク１を排出させることができ、この排出された小径ディスク１Ｂを例えば手で引き抜くなどすることで容易に光ディスク１を取り出すことができる。よって、電源オフ時に光ディスク１が挿入されたとしても、光ディスク１を取り出すことができなくなる不都合を防止でき、光ディスク１の多重挿入による動作不良なども防止できる。
【図面の簡単な説明】
【０１７０】
【図１】本発明に係る一実施の形態のディスク装置の初期状態における内部構成を示す平面図である。
【図２】前記実施の形態におけるディスク装置の搬入部および搬出部の構成を示す平面図である。
【図３】前記実施の形態におけるディスク装置の駆動部、搬出部およびクランプ部の構成を示す平面図である
【図４】前記実施の形態における化粧板の正面図である。
【図５】前記実施の形態における駆動部の近傍を示す平面図である。
【図６】前記実施の形態における駆動部を構成する第一伝達ギアの構成を示す斜視図である。
【図７】前記実施の形態におけるサブローディングアームを天面側から見た平面図である。
【図８】サブローディングアームを底面側から見た平面図である。
【図９】サブローディングアームの先端側に設けられるスライドガイドの分解斜視図である。
【図１０】サブローディングアームの先端側に設けられるスライドガイドを底面側から見た状態における分解斜視図である。
【図１１】前記実施の形態におけるディスク装置のリンクプレートの一部を示す平面図である。
【図１２】前記実施の形態におけるディスク装置のクランプ部を構成する第一シフトカムの背面側の平面図である。
【図１３】前記実施の形態における前記第一シフトカムを左壁側からみた側面図である。
【図１４】前記実施の形態におけるエマージェンシー機構のエマージェンシーレバー近傍の側面図である。
【図１５】小径ディスクのモータ駆動開始状態におけるディスク装置の内部を示す平面図である。
【図１６】小径ディスクのカム押出開始状態におけるディスク装置の内部を示す平面図である。
【図１７】小径ディスクの搬入完了状態におけるディスク装置の内部を示す平面図である。
【図１８】小径ディスクの演奏可能状態時におけるディスク装置の内部を示す平面図である。
【図１９】電源オフ時において小径ディスクを挿入した状態におけるディスク装置内部を示す平面図である。
【図２０】電源オフ時において小径ディスクが搬出された状態におけるディスク装置内部を示す平面図である。
【図２１】他の実施の形態におけるサブローディングアームの先端部近傍を示す平面図である。
【図２２】他の実施の形態における案内ゴムの構成を示す図である。
【符号の説明】
【０１７１】
１      …記録媒体としての光ディスク
１Ｂ    …記録媒体としての小径ディスク
１０    …筐体
１４    …挿排口
２０    …保持手段としてのディスク処理部
２４    …情報処理部
３０    …ディスク搬送装置としての搬送手段
５３    …搬送アームとしてのサブローディングアーム
６１    …搬出アームとしての第一イジェクトアーム
６２    …搬出アームとしての第二イジェクトアーム
１００  …ディスク装置
５３１Ｃ１…対向片としての天面側対向片
５３１Ｃ２…対向片としての底面側対向片
５３１Ｃ３…連結部
５３１Ｃ４…保持部としてのガイド保持溝
５３３  …スライドガイド
５３４Ｂ…係合部としてのスライド係合突起
５３５  …ゴム部材としての案内ゴム
５３６  …付勢部材としてのばね部材
５６２  …搬出アームとしてのガイドアーム
【図１】
2008243326.tif 000003
【図２】
2008243326.tif 000004
【図３】
2008243326.tif 000005
【図４】
2008243326.tif 000006
【図５】
2008243326.tif 000007
【図６】
2008243326.tif 000008
【図７】
2008243326.tif 000009
【図８】
2008243326.tif 000010
【図９】
2008243326.tif 000011
【図１０】
2008243326.tif 000012
【図１１】
2008243326.tif 000013
【図１２】
2008243326.tif 000014
【図１３】
2008243326.tif 000015
【図１４】
2008243326.tif 000016
【図１５】
2008243326.tif 000017
【図１６】
2008243326.tif 000018
【図１７】
2008243326.tif 000019
【図１８】
2008243326.tif 000020
【図１９】
2008243326.tif 000021
【図２０】
2008243326.tif 000022
【図２１】
2008243326.tif 000023
【図２２】
2008243326.tif 000024